(57)【特許請求の範囲】
【請求項１】
ユーザ機器（ＵＥ）によって実行されるワイヤレス通信のための方法であって、
前記ＵＥにおいて、異種ネットワーク中のサービングアクセスポイントと１つまたは複数の非サービングアクセスポイントとの間の時間領域リソース割当てに対応する時間領域リソース区分情報（ＲＰＩ）の指示を受信することであって、前記時間領域ＲＰＩの前記指示は、
前記サービングアクセスポイントに関連する第１の保護された時間領域リソースを示す値に設定された１つまたは複数のビットをもつビットマップを備える第１の情報要素（ＩＥ）、または、
前記非サービングアクセスポイントのうちの少なくとも１つに関連する第２の保護された時間領域リソースを示す値に設定された１つまたは複数のビットをもつビットマップを備える第２のＩＥ、
を備える、受信することと、
前記時間領域ＲＰＩに基づいて１つまたは複数の保護された時間領域リソースを識別することであって、前記１つまたは複数の保護された時間領域リソースは、干渉アクセスポイントによる使用が制限される時間領域リソースである、識別することと
を備える方法。
【請求項２】
前記１つまたは複数の保護された時間領域リソースが、前記干渉アクセスポイントに関連するオールモストブランクサブフレーム（ＡＢＳ）を備える、請求項１に記載の方法。
【請求項３】
前記干渉アクセスポイントが前記非サービングアクセスポイントのうちの１つであり、前記１つまたは複数の保護された時間領域リソースが前記サービングアクセスポイントに関連付けられる、請求項１に記載の方法。
【請求項４】
前記干渉アクセスポイントは、前記ＵＥが属さない限定加入者グループ（ＣＳＧ）に関連付けられる、請求項３に記載の方法。
【請求項５】
前記時間領域ＲＰＩの前記指示がブロードキャストメッセージ中で受信される、請求項１に記載の方法。
【請求項６】
前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、請求項５に記載の方法。
【請求項７】
前記時間領域ＲＰＩがシステム情報ブロック（ＳＩＢ）中でブロードキャストされる、請求項５に記載の方法。
【請求項８】
前記サービングアクセスポイントからネイバーリストを受信することをさらに備え、前記ネイバーリストが前記ＳＩＢ中で前記時間領域ＲＰＩを搬送する、請求項７に記載の方法。
【請求項９】
前記受信することが、前記サービングアクセスポイントから、前記サービングアクセスポイントに対応する前記時間領域ＲＰＩを備える前記ブロードキャストメッセージを受信することを備え、前記識別することが、前記サービングアクセスポイントのための前記保護された時間領域リソースに基づいて前記１つまたは複数の非サービングアクセスポイントのための前記１つまたは複数の保護された時間領域リソースを導出することを備える、請求項５に記載の方法。
【請求項１０】
前記導出することは、前記１つまたは複数の非サービングアクセスポイントのための前記１つまたは複数の保護された時間領域リソースが前記サービングアクセスポイントのための前記保護された時間領域リソースと同じであると見なすことを備える、請求項９に記載の方法。
【請求項１１】
前記受信することが、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信することを備える、請求項５に記載の方法。
【請求項１２】
前記ブロードキャストメッセージが、前記１つまたは複数の非サービングアクセスポイントからのシステム情報ブロックタイプ１（ＳＩＢ１）を備える、請求項１１に記載の方法。
【請求項１３】
前記時間領域ＲＰＩがマスタ情報ブロック（ＭＩＢ）中でブロードキャストされる、請求項５に記載の方法。
【請求項１４】
前記受信することは、前記ＵＥがアイドルモードにある間に前記ブロードキャストメッセージを受信することを備える、請求項５に記載の方法。
【請求項１５】
前記時間領域ＲＰＩの前記指示が、専用メッセージまたはユニキャストメッセージのうちの少なくとも１つを備える、請求項１に記載の方法。
【請求項１６】
前記受信することは、前記ＵＥが接続モードにある間に前記専用メッセージまたは前記ユニキャストメッセージのうちの前記少なくとも１つを受信することを備える、請求項１５に記載の方法。
【請求項１７】
前記ＵＥにおいて、前記１つまたは複数の保護された時間領域リソース中に前記サービングアクセスポイントからの基準信号の受信電力を判断することをさらに備える、請求項１５に記載の方法。
【請求項１８】
前記ＵＥにおいて、前記１つまたは複数の保護された時間領域リソース中に前記サービングアクセスポイントからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つをさらに備える、請求項１５に記載の方法。
【請求項１９】
ＲＲＭのための前記１つまたは複数の保護された時間領域リソースが、ＲＬＭのための前記保護された時間領域リソースと同じである、請求項１８に記載の方法。
【請求項２０】
ＲＲＭとＲＬＭの両方のための前記保護された時間領域リソースを示すために単一の情報要素（ＩＥ）が使用される、請求項１９に記載の方法。
【請求項２１】
前記第２のＩＥが、前記非サービングアクセスポイントのうちの前記少なくとも１つの各々のためのセル識別情報（ＩＤ）を備える、請求項１に記載の方法。
【請求項２２】
前記ＵＥにおいて、前記第２の保護された時間領域リソース中に前記非サービングアクセスポイントのうちの前記少なくとも１つからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つをさらに備える、請求項１に記載の方法。
【請求項２３】
前記１つまたは複数の保護された時間領域リソースが、前記サービングアクセスポイントと前記１つまたは複数の非サービングアクセスポイントとに共通である、請求項１に記載の方法。
【請求項２４】
異種ネットワーク中のサービングアクセスポイントと１つまたは複数の非サービングアクセスポイントとの間の時間領域リソース割当てに対応する時間領域リソース区分情報（ＲＰＩ）の指示を受信するように構成された受信機であって、前記時間領域ＲＰＩの前記指示は、
前記サービングアクセスポイントに関連する第１の保護された時間領域リソースを示す値に設定された１つまたは複数のビットをもつビットマップを備える第１の情報要素（ＩＥ）、または、
前記非サービングアクセスポイントのうちの少なくとも１つに関連する第２の保護された時間領域リソースを示す値に設定された１つまたは複数のビットをもつビットマップを備える第２のＩＥ、
である、受信機と、
前記時間領域ＲＰＩに基づいて１つまたは複数の保護された時間領域リソースを識別するように構成された少なくとも１つのプロセッサであって、前記１つまたは複数の保護された時間領域リソースは、干渉アクセスポイントによる使用が制限される時間領域リソースである、少なくとも１つのプロセッサと
を備える、ワイヤレス通信のための装置。
【請求項２５】
前記１つまたは複数の保護された時間領域リソースが、前記干渉アクセスポイントに関連するオールモストブランクサブフレーム（ＡＢＳ）を備える、請求項２４に記載の装置。
【請求項２６】
前記干渉アクセスポイントが前記非サービングアクセスポイントのうちの１つであり、前記１つまたは複数の保護された時間領域リソースが前記サービングアクセスポイントに関連付けられる、請求項２４に記載の装置。
【請求項２７】
前記干渉アクセスポイントは、前記装置が属さない限定加入者グループ（ＣＳＧ）に関連付けられる、請求項２６に記載の装置。
【請求項２８】
前記時間領域ＲＰＩの前記指示がブロードキャストメッセージ中で受信される、請求項２４に記載の装置。
【請求項２９】
前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、請求項２８に記載の装置。
【請求項３０】
前記時間領域ＲＰＩがシステム情報ブロック（ＳＩＢ）中でブロードキャストされる、請求項２８に記載の装置。
【請求項３１】
前記受信機が、前記サービングアクセスポイントからネイバーリストを受信するように構成され、前記ネイバーリストが前記ＳＩＢ中で前記時間領域ＲＰＩを搬送する、請求項３０に記載の装置。
【請求項３２】
前記受信機が、前記サービングアクセスポイントから、前記サービングアクセスポイントに対応する前記時間領域ＲＰＩを備える前記ブロードキャストメッセージを受信するように構成され、前記少なくとも１つのプロセッサが、前記サービングアクセスポイントのための前記保護された時間領域リソースに基づいて、前記１つまたは複数の非サービングアクセスポイントのための前記１つまたは複数の保護された時間領域リソースを導出することによって前記１つまたは複数の保護された時間領域リソースを識別するように構成された、請求項２８に記載の装置。
【請求項３３】
前記導出することは、前記１つまたは複数の非サービングアクセスポイントのための前記１つまたは複数の保護された時間領域リソースが前記サービングアクセスポイントのための前記保護された時間領域リソースと同じであると見なすことを備える、請求項３２に記載の装置。
【請求項３４】
前記受信機が、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信するように構成された、請求項２８に記載の装置。
【請求項３５】
前記ブロードキャストメッセージが、前記１つまたは複数の非サービングアクセスポイントからのシステム情報ブロックタイプ１（ＳＩＢ１）を備える、請求項３４に記載の装置。
【請求項３６】
前記時間領域ＲＰＩがマスタ情報ブロック（ＭＩＢ）中でブロードキャストされる、請求項２８に記載の装置。
【請求項３７】
前記受信機は、前記装置がアイドルモードにある間に前記ブロードキャストメッセージを受信するように構成された、請求項２８に記載の装置。
【請求項３８】
前記時間領域ＲＰＩの前記指示が、専用メッセージまたはユニキャストメッセージのうちの少なくとも１つを備える、請求項２４に記載の装置。
【請求項３９】
前記受信機は、前記装置が接続モードにある間に前記専用メッセージまたは前記ユニキャストメッセージのうちの前記少なくとも１つを受信するように構成された、請求項３８に記載の装置。
【請求項４０】
前記少なくとも１つのプロセッサが、前記１つまたは複数の保護された時間領域リソース中に前記サービングアクセスポイントからの基準信号の受信電力を判断するように構成された、請求項３８に記載の装置。
【請求項４１】
前記少なくとも１つのプロセッサが、前記１つまたは複数の保護された時間領域リソース中に前記サービングアクセスポイントからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つを行うように構成された、請求項３８に記載の装置。
【請求項４２】
ＲＲＭのための前記１つまたは複数の保護された時間領域リソースが、ＲＬＭのための前記保護された時間領域リソースと同じである、請求項４１に記載の装置。
【請求項４３】
ＲＲＭとＲＬＭの両方のための前記保護された時間領域リソースを示すために単一の情報要素（ＩＥ）が使用される、請求項４２に記載の装置。
【請求項４４】
前記第２のＩＥが、前記非サービングアクセスポイントのうちの前記少なくとも１つの各々のためのセル識別情報（ＩＤ）を備える、請求項２４に記載の装置。
【請求項４５】
前記少なくとも１つのプロセッサが、前記第２の保護された時間領域リソース中に前記非サービングアクセスポイントのうちの前記少なくとも１つからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つを行うように構成された、請求項２４に記載の装置。
【請求項４６】
前記１つまたは複数の保護された時間領域リソースが、前記サービングアクセスポイントと前記１つまたは複数の非サービングアクセスポイントとに共通である、請求項２４に記載の装置。
【請求項４７】
異種ネットワーク中のサービングアクセスポイントと１つまたは複数の非サービングアクセスポイントとの間の時間領域リソース割当てに対応する時間領域リソース区分情報（ＲＰＩ）の指示を受信するための手段であって、前記時間領域ＲＰＩの前記指示は、
前記サービングアクセスポイントに関連する第１の保護された時間領域リソースを示す値に設定された１つまたは複数のビットをもつビットマップを備える第１の情報要素（ＩＥ）、または、
前記非サービングアクセスポイントのうちの少なくとも１つに関連する第２の保護された時間領域リソースを示す値に設定された１つまたは複数のビットをもつビットマップを備える第２のＩＥ、
である、受信するための手段と、
前記時間領域ＲＰＩに基づいて１つまたは複数の保護された時間領域リソースを識別するための手段であって、前記１つまたは複数の保護された時間領域リソースは、干渉アクセスポイントによる使用が制限される時間領域リソースである、識別するための手段と
を備える、ワイヤレス通信のための装置。
【請求項４８】
前記１つまたは複数の保護された時間領域リソースが、前記干渉アクセスポイントに関連するオールモストブランクサブフレーム（ＡＢＳ）を備える、請求項４７に記載の装置。
【請求項４９】
前記干渉アクセスポイントが前記非サービングアクセスポイントのうちの１つであり、前記１つまたは複数の保護された時間領域リソースが前記サービングアクセスポイントに関連付けられる、請求項４７に記載の装置。
【請求項５０】
前記干渉アクセスポイントは、前記装置が属さない限定加入者グループ（ＣＳＧ）に関連付けられる、請求項４９に記載の装置。
【請求項５１】
前記時間領域ＲＰＩの前記指示がブロードキャストメッセージ中で受信される、請求項４７に記載の装置。
【請求項５２】
前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、請求項５１に記載の装置。
【請求項５３】
前記時間領域ＲＰＩがシステム情報ブロック（ＳＩＢ）中でブロードキャストされる、請求項５１に記載の装置。
【請求項５４】
受信するための前記手段が、前記サービングアクセスポイントからネイバーリストを受信するように構成され、前記ネイバーリストが前記ＳＩＢ中で前記時間領域ＲＰＩを搬送する、請求項５３に記載の装置。
【請求項５５】
受信するための前記手段が、前記サービングアクセスポイントから、前記サービングアクセスポイントに対応する前記時間領域ＲＰＩを備える前記ブロードキャストメッセージを受信するように構成され、識別するための前記手段が、前記サービングアクセスポイントのための前記保護された時間領域リソースに基づいて、前記１つまたは複数の非サービングアクセスポイントのための前記１つまたは複数の保護された時間領域リソースを導出するように構成された、請求項５１に記載の装置。
【請求項５６】
識別するための前記手段が、前記１つまたは複数の非サービングアクセスポイントのための前記１つまたは複数の保護された時間領域リソースが前記サービングアクセスポイントのための前記保護された時間領域リソースと同じであると見なすことによって前記１つまたは複数の保護された時間領域リソースを導出するように構成された、請求項５５に記載の装置。
【請求項５７】
受信するための前記手段が、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信するように構成された、請求項５１に記載の装置。
【請求項５８】
前記ブロードキャストメッセージが、前記１つまたは複数の非サービングアクセスポイントからのシステム情報ブロックタイプ１（ＳＩＢ１）を備える、請求項５７に記載の装置。
【請求項５９】
前記時間領域ＲＰＩがマスタ情報ブロック（ＭＩＢ）中でブロードキャストされる、請求項５１に記載の装置。
【請求項６０】
受信するための前記手段は、前記装置がアイドルモードにある間に前記ブロードキャストメッセージを受信するように構成された、請求項５１に記載の装置。
【請求項６１】
前記時間領域ＲＰＩの前記指示が、専用メッセージまたはユニキャストメッセージのうちの少なくとも１つを備える、請求項４７に記載の装置。
【請求項６２】
受信するための前記手段は、前記装置が接続モードにある間に前記専用メッセージまたは前記ユニキャストメッセージのうちの前記少なくとも１つを受信するように構成された、請求項６１に記載の装置。
【請求項６３】
前記１つまたは複数の保護された時間領域リソース中に前記サービングアクセスポイントからの基準信号の受信電力を判断するための手段をさらに備える、請求項６１に記載の装置。
【請求項６４】
前記１つまたは複数の保護された時間領域リソース中に前記サービングアクセスポイントからの１つまたは複数の信号に基づいて、チャネル状態情報（ＣＳＩ）を判断するための手段、無線リソース管理（ＲＲＭ）測定を行うための手段、または無線リンク監視（ＲＬＭ）を実行するための手段のうちの少なくとも１つをさらに備える、請求項６１に記載の装置。
【請求項６５】
ＲＲＭのための前記１つまたは複数の保護された時間領域リソースが、ＲＬＭのための前記保護された時間領域リソースと同じである、請求項６４に記載の装置。
【請求項６６】
ＲＲＭとＲＬＭの両方のための前記保護された時間領域リソースを示すために単一の情報要素（ＩＥ）が使用される、請求項６５に記載の装置。
【請求項６７】
前記第２のＩＥが、前記非サービングアクセスポイントのうちの前記少なくとも１つの各々のためのセル識別情報（ＩＤ）を備える、請求項４７に記載の装置。
【請求項６８】
前記第２の保護された時間領域リソース中に前記非サービングアクセスポイントのうちの前記少なくとも１つからの１つまたは複数の信号に基づいて、チャネル状態情報（ＣＳＩ）を判断するための手段、無線リソース管理（ＲＲＭ）測定を行うための手段、または無線リンク監視（ＲＬＭ）を実行するための手段のうちの少なくとも１つをさらに備える、請求項４７に記載の装置。
【請求項６９】
前記１つまたは複数の保護された時間領域リソースが、前記サービングアクセスポイントと前記１つまたは複数の非サービングアクセスポイントとに共通である、請求項４７に記載の装置。
【請求項７０】
ワイヤレス通信のためのプログラムであって、前記プログラムは、コンピュータに、
ユーザ機器（ＵＥ）において、異種ネットワーク中のサービングアクセスポイントと１つまたは複数の非サービングアクセスポイントとの間の時間領域リソース割当てに対応する時間領域リソース区分情報（ＲＰＩ）の指示を受信する手順であって、前記時間領域ＲＰＩの前記指示は、
前記サービングアクセスポイントに関連する第１の保護された時間領域リソースを示す値に設定された１つまたは複数のビットをもつビットマップを備える第１の情報要素（ＩＥ）、または、
前記非サービングアクセスポイントのうちの少なくとも１つに関連する第２の保護された時間領域リソースを示す値に設定された１つまたは複数のビットをもつビットマップを備える第２のＩＥ、
を備える、受信する手順と、
前記時間領域ＲＰＩに基づいて１つまたは複数の保護された時間領域リソースを識別する手順であって、前記１つまたは複数の保護された時間領域リソースは、干渉アクセスポイントによる使用が制限される時間領域リソースである、識別する手順と
を実行させる、プログラム。
【請求項７１】
前記１つまたは複数の保護された時間領域リソースが、前記干渉アクセスポイントに関連するオールモストブランクサブフレーム（ＡＢＳ）を備える、請求項７０に記載のプログラム。
【請求項７２】
前記干渉アクセスポイントが前記非サービングアクセスポイントのうちの１つであり、前記１つまたは複数の保護された時間領域リソースが前記サービングアクセスポイントに関連付けられる、請求項７０に記載のプログラム。
【請求項７３】
前記干渉アクセスポイントは、前記ＵＥが属さない限定加入者グループ（ＣＳＧ）に関連付けられる、請求項７２に記載のプログラム。
【請求項７４】
前記時間領域ＲＰＩの前記指示がブロードキャストメッセージ中で受信される、請求項７０に記載のプログラム。
【請求項７５】
前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、請求項７４に記載のプログラム。
【請求項７６】
前記時間領域ＲＰＩがシステム情報ブロック（ＳＩＢ）中でブロードキャストされる、請求項７４に記載のプログラム。
【請求項７７】
前記サービングアクセスポイントからネイバーリストを受信するためのコードをさらに備え、前記ネイバーリストが前記ＳＩＢ中で前記時間領域ＲＰＩを搬送する、請求項７６に記載のプログラム。
【請求項７８】
前記受信する手順が、前記サービングアクセスポイントから、前記サービングアクセスポイントに対応する前記時間領域ＲＰＩを備える前記ブロードキャストメッセージを受信する手順を備え、前記識別する手順が、前記サービングアクセスポイントのための前記保護された時間領域リソースに基づいて前記１つまたは複数の非サービングアクセスポイントのための前記１つまたは複数の保護された時間領域リソースを導出する手順を備える、請求項７４に記載のプログラム。
【請求項７９】
前記導出する手順は、前記１つまたは複数の非サービングアクセスポイントのための前記１つまたは複数の保護された時間領域リソースが前記サービングアクセスポイントのための前記保護された時間領域リソースと同じであると見なす手順を備える、請求項７８に記載のプログラム。
【請求項８０】
前記受信する手順が、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信する手順を備える、請求項７４に記載のプログラム。
【請求項８１】
前記ブロードキャストメッセージが、前記１つまたは複数の非サービングアクセスポイントからのシステム情報ブロックタイプ１（ＳＩＢ１）を備える、請求項８０に記載のプログラム。
【請求項８２】
前記時間領域ＲＰＩがマスタ情報ブロック（ＭＩＢ）中でブロードキャストされる、請求項７４に記載のプログラム。
【請求項８３】
前記受信する手順は、前記ＵＥがアイドルモードにある間に前記ブロードキャストメッセージを受信する手順を備える、請求項７４に記載のプログラム。
【請求項８４】
前記時間領域ＲＰＩの前記指示が、専用メッセージまたはユニキャストメッセージのうちの少なくとも１つを備える、請求項７０に記載のプログラム。
【請求項８５】
前記受信する手順は、前記ＵＥが接続モードにある間に前記専用メッセージまたは前記ユニキャストメッセージのうちの前記少なくとも１つを受信する手順を備える、請求項８４に記載のプログラム。
【請求項８６】
前記コンピュータに、前記ＵＥにおいて、前記１つまたは複数の保護された時間領域リソース中に前記サービングアクセスポイントからの基準信号の受信電力を判断する手順を実行させるプログラムをさらに備える、請求項８４に記載のプログラム。
【請求項８７】
前記コンピュータに、前記１つまたは複数の保護された時間領域リソース中に前記サービングアクセスポイントからの１つまたは複数の信号に基づいて、前記ＵＥにおいて、チャネル状態情報（ＣＳＩ）を判断すること、無線リソース管理（ＲＲＭ）測定を行うこと、または無線リンク監視（ＲＬＭ）を実行することのうちの少なくとも１つの手順を実行させるプログラムをさらに備える、請求項８４に記載のプログラム。
【請求項８８】
ＲＲＭのための前記１つまたは複数の保護された時間領域リソースが、ＲＬＭのための前記保護された時間領域リソースと同じである、請求項８７に記載のプログラム。
【請求項８９】
ＲＲＭとＲＬＭの両方のための前記保護された時間領域リソースを示すために単一の情報要素（ＩＥ）が使用される、請求項８８に記載のプログラム。
【請求項９０】
前記第２のＩＥが、前記非サービングアクセスポイントのうちの前記少なくとも１つの各々のためのセル識別情報（ＩＤ）を備える、請求項７０に記載のプログラム。
【請求項９１】
前記コンピュータに、前記第２の保護された時間領域リソース中に前記非サービングアクセスポイントのうちの前記少なくとも１つからの１つまたは複数の信号に基づいて、前記ＵＥにおいて、チャネル状態情報（ＣＳＩ）を判断すること、無線リソース管理（ＲＲＭ）測定を行うこと、または無線リンク監視（ＲＬＭ）を実行することのうちの少なくとも１つの手順を実行させるプログラムをさらに備える、請求項７０に記載のプログラム。
【請求項９２】
前記１つまたは複数の保護された時間領域リソースが、前記サービングアクセスポイントと前記１つまたは複数の非サービングアクセスポイントとに共通である、請求項７０に記載のプログラム。
【請求項９３】
基地局によって実行されるワイヤレス通信のための方法であって、
異種ネットワーク中の時間領域リソース区分に関与することと、
１つまたは複数の保護された時間領域リソースを識別する時間領域リソース区分情報（ＲＰＩ）の指示を送信することであって、前記１つまたは複数の保護された時間領域リソースは、干渉アクセスポイントによる使用が制限される時間領域リソースである、送信することと
を備え、前記時間領域ＲＰＩの前記指示は、
サービングアクセスポイントに関連する第１の保護された時間領域リソースを示す値に設定された１つまたは複数のビットをもつビットマップを備える第１の情報要素（ＩＥ）、または、
非サービングアクセスポイントのうちの少なくとも１つに関連する第２の保護された時間領域リソースを示す値に設定された１つまたは複数のビットをもつビットマップを備える第２のＩＥ、
を備える、方法。
【請求項９４】
前記１つまたは複数の保護された時間領域リソースが、前記干渉アクセスポイントに関連するオールモストブランクサブフレーム（ＡＢＳ）を備える、請求項９３に記載の方法。
【請求項９５】
前記送信することが、前記時間領域ＲＰＩの前記指示をブロードキャストすることを備える、請求項９３に記載の方法。
【請求項９６】
前記時間領域ＲＰＩの前記指示が、前記１つまたは複数の保護された時間領域リソースに関連するアクセスポイントからブロードキャストされる、請求項９５に記載の方法。
【請求項９７】
前記時間領域ＲＰＩの前記指示が、第１のアクセスポイントからブロードキャストされ、前記１つまたは複数の保護された時間領域リソースが、前記第１のアクセスポイントとは異なる第２のアクセスポイントに関連付けられる、請求項９５に記載の方法。
【請求項９８】
前記時間領域ＲＰＩがシステム情報ブロック（ＳＩＢ）中でブロードキャストされる、請求項９５に記載の方法。
【請求項９９】
前記時間領域ＲＰＩが前記ＳＩＢの１つまたは複数の情報要素（ＩＥ）中でブロードキャストされる、請求項９８に記載の方法。
【請求項１００】
前記時間領域ＲＰＩがマスタ情報ブロック（ＭＩＢ）中でブロードキャストされる、請求項９５に記載の方法。
【請求項１０１】
前記時間領域ＲＰＩの前記指示が、専用メッセージまたはユニキャストメッセージのうちの少なくとも１つを使用して送信される、請求項９３に記載の方法。
【請求項１０２】
前記時間領域ＲＰＩの前記指示が、接続モードで動作するユーザ機器（ＵＥ）に送信される、請求項１０１に記載の方法。
【請求項１０３】
基準信号を送信することと、
前記ＵＥから、前記１つまたは複数の保護された時間領域リソース中に判断された前記基準信号の受信電力の指示を受信することと
をさらに備える、請求項１０２に記載の方法。
【請求項１０４】
１つまたは複数の信号を送信することと、
前記ＵＥから、前記１つまたは複数の保護された時間領域リソース中に判断された前記１つまたは複数の信号に基づいてチャネル状態情報（ＣＳＩ）の指示を受信することと
をさらに備える、請求項１０２に記載の方法。
【請求項１０５】
前記保護された時間領域リソースが、無線リソース管理（ＲＲＭ）プロシージャまたは無線リンク管理（ＲＬＭ）プロシージャのために前記ＵＥによって使用される、請求項１０２に記載の方法。
【請求項１０６】
ＲＲＭのための前記１つまたは複数の保護された時間領域リソースが、ＲＬＭのための前記保護された時間領域リソースと同じである、請求項１０５に記載の方法。
【請求項１０７】
前記ＵＥから、無線状態を示す報告を受信することと、
前記報告と前記時間領域リソース区分とに基づいて、前記時間領域ＲＰＩによって識別される前記１つまたは複数の保護された時間領域リソースを判断することと
をさらに備える、請求項１０２に記載の方法。
【請求項１０８】
前記無線状態が、１つまたは複数の非サービングアクセスポイントへの前記ＵＥの近接度に関係する情報を備える、請求項１０７に記載の方法。
【請求項１０９】
前記１つまたは複数の保護された時間領域リソースが、前記１つまたは複数の非サービングアクセスポイントのために区分された時間領域リソースを備える、請求項１０８に記載の方法。
【請求項１１０】
前記１つまたは複数の保護された時間領域リソースが、サービングアクセスポイントのために区分された時間領域リソースを備える、請求項１０８に記載の方法。
【請求項１１１】
前記時間領域リソースが、前記異種ネットワーク中のサービングアクセスポイントと１つまたは複数の非サービングアクセスポイントとに共通に区分される、請求項９３に記載の方法。
【請求項１１２】
第１のアクセスポイントが、前記時間領域ＲＰＩの前記指示を送信した、請求項９３に記載の方法。
【請求項１１３】
前記１つまたは複数の保護された時間領域リソースが、測定されているアクセスポイントの物理セル識別情報（ＰＣＩ）に依存する、請求項９３に記載の方法。
【請求項１１４】
前記１つまたは複数の保護された時間領域リソースが、ＰＣＩの範囲またはＰＣＩのセットのために構成された、請求項１１３に記載の方法。
【請求項１１５】
ＰＣＩの前記範囲またはＰＣＩの前記セットがアクセスポイントの電力クラスに対応する、請求項１１４に記載の方法。
【請求項１１６】
ＰＣＩの前記範囲またはＰＣＩの前記セットがアクセスポイントのアクセス許可に対応する、請求項１１４に記載の方法。
【請求項１１７】
異種ネットワーク中の時間領域リソース区分に関与するように構成された少なくとも１つのプロセッサと、
１つまたは複数の保護された時間領域リソースを識別する時間領域リソース区分情報（ＲＰＩ）の指示を送信するように構成された送信機であって、前記１つまたは複数の保護された時間領域リソースは、干渉アクセスポイントによる使用が制限される時間領域リソースである、送信機と
を備え、前記時間領域ＲＰＩの前記指示は、
サービングアクセスポイントに関連する第１の保護された時間領域リソースを示す値に設定された１つまたは複数のビットをもつビットマップを備える第１の情報要素（ＩＥ）、または、
非サービングアクセスポイントのうちの少なくとも１つに関連する第２の保護された時間領域リソースを示す値に設定された１つまたは複数のビットをもつビットマップを備える第２のＩＥ、
を備える、ワイヤレス通信のための装置。
【請求項１１８】
前記１つまたは複数の保護された時間領域リソースが、前記干渉アクセスポイントに関連するオールモストブランクサブフレーム（ＡＢＳ）を備える、請求項１１７に記載の装置。
【請求項１１９】
前記送信機が、前記時間領域ＲＰＩの前記指示をブロードキャストするように構成された、請求項１１７に記載の装置。
【請求項１２０】
前記装置が、前記１つまたは複数の保護された時間領域リソースに関連するアクセスポイントである、請求項１１９に記載の装置。
【請求項１２１】
前記装置が第１のアクセスポイントであり、前記１つまたは複数の保護された時間領域リソースが、前記第１のアクセスポイントとは異なる第２のアクセスポイントに関連付けられる、請求項１１９に記載の装置。
【請求項１２２】
前記時間領域ＲＰＩがシステム情報ブロック（ＳＩＢ）中でブロードキャストされる、請求項１１９に記載の装置。
【請求項１２３】
前記時間領域ＲＰＩが前記ＳＩＢの１つまたは複数の情報要素（ＩＥ）中でブロードキャストされる、請求項１２２に記載の装置。
【請求項１２４】
前記時間領域ＲＰＩがマスタ情報ブロック（ＭＩＢ）中でブロードキャストされる、請求項１１９に記載の装置。
【請求項１２５】
前記時間領域ＲＰＩの前記指示が、専用メッセージまたはユニキャストメッセージのうちの少なくとも１つを使用して送信される、請求項１１７に記載の装置。
【請求項１２６】
前記時間領域ＲＰＩの前記指示が、接続モードで動作するユーザ機器（ＵＥ）に送信される、請求項１２５に記載の装置。
【請求項１２７】
受信機をさらに備え、前記送信機が基準信号を送信するように構成され、前記受信機が、前記ＵＥから、前記１つまたは複数の保護された時間領域リソース中に判断された前記基準信号の受信電力の指示を受信するように構成された、請求項１２６に記載の装置。
【請求項１２８】
受信機をさらに備え、前記送信機が１つまたは複数の信号を送信するように構成され、前記受信機が、前記ＵＥから、前記１つまたは複数の保護された時間領域リソース中に判断された前記１つまたは複数の信号に基づいてチャネル状態情報（ＣＳＩ）の指示を受信するように構成された、請求項１２６に記載の装置。
【請求項１２９】
前記保護された時間領域リソースが、無線リソース管理（ＲＲＭ）プロシージャまたは無線リンク管理（ＲＬＭ）プロシージャのために前記ＵＥによって使用される、請求項１２６に記載の装置。
【請求項１３０】
ＲＲＭのための前記１つまたは複数の保護された時間領域リソースが、ＲＬＭのための前記保護された時間領域リソースと同じである、請求項１２９に記載の装置。
【請求項１３１】
前記ＵＥから、無線状態を示す報告を受信するように構成された受信機をさらに備え、前記少なくとも１つのプロセッサが、前記報告と前記時間領域リソース区分とに基づいて、前記時間領域ＲＰＩによって識別される前記１つまたは複数の保護された時間領域リソースを判断するように構成された、請求項１２６に記載の装置。
【請求項１３２】
前記無線状態が、１つまたは複数の非サービングアクセスポイントへの前記ＵＥの近接度に関係する情報を備える、請求項１３１に記載の装置。
【請求項１３３】
前記１つまたは複数の保護された時間領域リソースが、前記１つまたは複数の非サービングアクセスポイントのために区分された時間領域リソースを備える、請求項１３２に記載の装置。
【請求項１３４】
前記１つまたは複数の保護された時間領域リソースが、サービングアクセスポイントのために区分された時間領域リソースを備える、請求項１３２に記載の装置。
【請求項１３５】
前記時間領域リソースが、前記異種ネットワーク中のサービングアクセスポイントと１つまたは複数の非サービングアクセスポイントとに共通に区分される、請求項１１７に記載の装置。
【請求項１３６】
前記装置が第１のアクセスポイントである、請求項１１７に記載の装置。
【請求項１３７】
前記１つまたは複数の保護された時間領域リソースが、測定されているアクセスポイントの物理セル識別情報（ＰＣＩ）に依存する、請求項１１７に記載の装置。
【請求項１３８】
前記１つまたは複数の保護された時間領域リソースが、ＰＣＩの範囲またはＰＣＩのセットのために構成された、請求項１３７に記載の装置。
【請求項１３９】
ＰＣＩの前記範囲またはＰＣＩの前記セットがアクセスポイントの電力クラスに対応する、請求項１３８に記載の装置。
【請求項１４０】
ＰＣＩの前記範囲またはＰＣＩの前記セットがアクセスポイントのアクセス許可に対応する、請求項１３８に記載の装置。
【請求項１４１】
異種ネットワーク中の時間領域リソース区分に関与するための手段と、
１つまたは複数の保護された時間領域リソースを識別する時間領域リソース区分情報（ＲＰＩ）の指示を送信するための手段であって、前記１つまたは複数の保護された時間領域リソースは、干渉アクセスポイントによる使用が制限される時間領域リソースである、送信するための手段と
を備え、前記時間領域ＲＰＩの前記指示は、
サービングアクセスポイントに関連する第１の保護された時間領域リソースを示す値に設定された１つまたは複数のビットをもつビットマップを備える第１の情報要素（ＩＥ）、または、
非サービングアクセスポイントのうちの少なくとも１つに関連する第２の保護された時間領域リソースを示す値に設定された１つまたは複数のビットをもつビットマップを備える第２のＩＥ、
を備える、ワイヤレス通信のための装置。
【請求項１４２】
前記１つまたは複数の保護された時間領域リソースが、前記干渉アクセスポイントに関連するオールモストブランクサブフレーム（ＡＢＳ）を備える、請求項１４１に記載の装置。
【請求項１４３】
送信するための前記手段が、前記時間領域ＲＰＩの前記指示をブロードキャストするように構成された、請求項１４１に記載の装置。
【請求項１４４】
前記装置が、前記１つまたは複数の保護された時間領域リソースに関連するアクセスポイントである、請求項１４３に記載の装置。
【請求項１４５】
前記装置が第１のアクセスポイントであり、前記１つまたは複数の保護された時間領域リソースが、前記第１のアクセスポイントとは異なる第２のアクセスポイントに関連付けられる、請求項１４３に記載の装置。
【請求項１４６】
前記時間領域ＲＰＩがシステム情報ブロック（ＳＩＢ）中でブロードキャストされる、請求項１４３に記載の装置。
【請求項１４７】
前記時間領域ＲＰＩが前記ＳＩＢの１つまたは複数の情報要素（ＩＥ）中でブロードキャストされる、請求項１４６に記載の装置。
【請求項１４８】
前記時間領域ＲＰＩがマスタ情報ブロック（ＭＩＢ）中でブロードキャストされる、請求項１４３に記載の装置。
【請求項１４９】
前記時間領域ＲＰＩの前記指示が、専用メッセージまたはユニキャストメッセージのうちの少なくとも１つを使用して送信される、請求項１４１に記載の装置。
【請求項１５０】
前記時間領域ＲＰＩの前記指示が、接続モードで動作するユーザ機器（ＵＥ）に送信される、請求項１４９に記載の装置。
【請求項１５１】
受信するための手段をさらに備え、送信するための前記手段が基準信号を送信するように構成され、受信するための前記手段が、前記ＵＥから、前記１つまたは複数の保護された時間領域リソース中に判断された前記基準信号の受信電力の指示を受信するように構成された、請求項１５０に記載の装置。
【請求項１５２】
受信するための手段をさらに備え、送信するための前記手段が１つまたは複数の信号を送信するように構成され、受信するための前記手段が、前記ＵＥから、前記１つまたは複数の保護された時間領域リソース中に判断された前記１つまたは複数の信号に基づいてチャネル状態情報（ＣＳＩ）の指示を受信するように構成された、請求項１５０に記載の装置。
【請求項１５３】
前記保護された時間領域リソースが、無線リソース管理（ＲＲＭ）プロシージャまたは無線リンク管理（ＲＬＭ）プロシージャのために前記ＵＥによって使用される、請求項１５０に記載の装置。
【請求項１５４】
ＲＲＭのための前記１つまたは複数の保護された時間領域リソースが、ＲＬＭのための前記保護された時間領域リソースと同じである、請求項１５３に記載の装置。
【請求項１５５】
前記ＵＥから、無線状態を示す報告を受信するための手段と、
前記報告と前記時間領域リソース区分とに基づいて、前記時間領域ＲＰＩによって識別される前記１つまたは複数の保護された時間領域リソースを判断するための手段と
をさらに備える、請求項１５０に記載の装置。
【請求項１５６】
前記無線状態が、１つまたは複数の非サービングアクセスポイントへの前記ＵＥの近接度に関係する情報を備える、請求項１５５に記載の装置。
【請求項１５７】
前記１つまたは複数の保護された時間領域リソースが、前記１つまたは複数の非サービングアクセスポイントのために区分された時間領域リソースを備える、請求項１５６に記載の装置。
【請求項１５８】
前記１つまたは複数の保護された時間領域リソースが、サービングアクセスポイントのために区分された時間領域リソースを備える、請求項１５６に記載の装置。
【請求項１５９】
前記時間領域リソースが、前記異種ネットワーク中のサービングアクセスポイントと１つまたは複数の非サービングアクセスポイントとに共通に区分される、請求項１４１に記載の装置。
【請求項１６０】
前記装置が第１のアクセスポイントである、請求項１４１に記載の装置。
【請求項１６１】
前記１つまたは複数の保護された時間領域リソースが、測定されているアクセスポイントの物理セル識別情報（ＰＣＩ）に依存する、請求項１４１に記載の装置。
【請求項１６２】
前記１つまたは複数の保護された時間領域リソースが、ＰＣＩの範囲またはＰＣＩのセットのために構成された、請求項１６１に記載の装置。
【請求項１６３】
ＰＣＩの前記範囲またはＰＣＩの前記セットがアクセスポイントの電力クラスに対応する、請求項１６２に記載の装置。
【請求項１６４】
ＰＣＩの前記範囲またはＰＣＩの前記セットがアクセスポイントのアクセス許可に対応する、請求項１６２に記載の装置。
【請求項１６５】
ワイヤレス通信のためのプログラムであって、前記プログラムは、コンピュータに、
異種ネットワーク中の時間領域リソース区分に関与する手順と、
１つまたは複数の保護された時間領域リソースを識別する時間領域リソース区分情報（ＲＰＩ）の指示を送信する手順であって、前記１つまたは複数の保護された時間領域リソースは、干渉アクセスポイントによる使用が制限される時間領域リソースである、送信する手順と
を実行させ、前記時間領域ＲＰＩの前記指示は、
サービングアクセスポイントに関連する第１の保護された時間領域リソースを示す値に設定された１つまたは複数のビットをもつビットマップを備える第１の情報要素（ＩＥ）、または、
非サービングアクセスポイントのうちの少なくとも１つに関連する第２の保護された時間領域リソースを示す値に設定された１つまたは複数のビットをもつビットマップを備える第２のＩＥ、
を備える、プログラム。
【請求項１６６】
前記１つまたは複数の保護された時間領域リソースが、前記干渉アクセスポイントに関連するオールモストブランクサブフレーム（ＡＢＳ）を備える、請求項１６５に記載のプログラム。
【請求項１６７】
前記時間領域ＲＰＩが、前記１つまたは複数の保護された時間領域リソースを示す値に設定される１つまたは複数のビットをもつビットマップを備える、請求項１６５に記載のプログラム。
【請求項１６８】
前記送信する手順が、前記時間領域ＲＰＩの前記指示をブロードキャストする手順を備える、請求項１６５に記載のプログラム。
【請求項１６９】
前記時間領域ＲＰＩの前記指示が、前記１つまたは複数の保護された時間領域リソースに関連するアクセスポイントからブロードキャストされる、請求項１６８に記載のプログラム。
【請求項１７０】
前記時間領域ＲＰＩの前記指示が、第１のアクセスポイントからブロードキャストされ、前記１つまたは複数の保護された時間領域リソースが、前記第１のアクセスポイントとは異なる第２のアクセスポイントに関連付けられる、請求項１６８に記載のプログラム。
【請求項１７１】
前記時間領域ＲＰＩがシステム情報ブロック（ＳＩＢ）中でブロードキャストされる、請求項１６８に記載のプログラム。
【請求項１７２】
前記時間領域ＲＰＩが前記ＳＩＢの１つまたは複数の情報要素（ＩＥ）中でブロードキャストされる、請求項１７１に記載のプログラム。
【請求項１７３】
前記時間領域ＲＰＩがマスタ情報ブロック（ＭＩＢ）中でブロードキャストされる、請求項１６８に記載のプログラム。
【請求項１７４】
前記時間領域ＲＰＩの前記指示が、専用メッセージまたはユニキャストメッセージのうちの少なくとも１つを使用して送信される、請求項１６５に記載のプログラム。
【請求項１７５】
前記時間領域ＲＰＩの前記指示が、接続モードで動作するユーザ機器（ＵＥ）に送信される、請求項１７４に記載のプログラム。
【請求項１７６】
コンピュータに、
基準信号を送信する手順と、
前記ＵＥから、前記１つまたは複数の保護された時間領域リソース中に判断された前記基準信号の受信電力の指示を受信する手順と
を実行させる、請求項１７５に記載のプログラム。
【請求項１７７】
コンピュータに、
１つまたは複数の信号を送信する手順と、
前記ＵＥから、前記１つまたは複数の保護された時間領域リソース中に判断された前記１つまたは複数の信号に基づいてチャネル状態情報（ＣＳＩ）の指示を受信する手順と
を実行させる、請求項１７５に記載のプログラム。
【請求項１７８】
前記保護された時間領域リソースが、無線リソース管理（ＲＲＭ）プロシージャまたは無線リンク管理（ＲＬＭ）プロシージャのために前記ＵＥによって使用される、請求項１７５に記載のプログラム。
【請求項１７９】
ＲＲＭのための前記１つまたは複数の保護された時間領域リソースが、ＲＬＭのための前記保護された時間領域リソースと同じである、請求項１７８に記載のプログラム。
【請求項１８０】
コンピュータに、
前記ＵＥから、無線状態を示す報告を受信する手順と、
前記報告と前記時間領域リソース区分とに基づいて、前記時間領域ＲＰＩによって識別される前記１つまたは複数の保護された時間領域リソースを判断する手順と
を実行させる、請求項１７５に記載のプログラム。
【請求項１８１】
前記無線状態が、１つまたは複数の非サービングアクセスポイントへの前記ＵＥの近接度に関係する情報を備える、請求項１８０に記載のプログラム。
【請求項１８２】
前記１つまたは複数の保護された時間領域リソースが、前記１つまたは複数の非サービングアクセスポイントのために区分された時間領域リソースを備える、請求項１８１に記載のプログラム。
【請求項１８３】
前記１つまたは複数の保護された時間領域リソースが、サービングアクセスポイントのために区分された時間領域リソースを備える、請求項１８１に記載のプログラム。
【請求項１８４】
前記時間領域リソースが、前記異種ネットワーク中のサービングアクセスポイントと１つまたは複数の非サービングアクセスポイントとに共通に区分される、請求項１６５に記載のプログラム。
【請求項１８５】
前記時間領域ＲＰＩの前記指示が、第１のアクセスポイントから送信される、請求項１６５に記載のプログラム。
【請求項１８６】
前記１つまたは複数の保護された時間領域リソースが、測定されているアクセスポイントの物理セル識別情報（ＰＣＩ）に依存する、請求項１６５に記載のプログラム。
【請求項１８７】
前記１つまたは複数の保護された時間領域リソースが、ＰＣＩの範囲またはＰＣＩのセットのために構成された、請求項１８６に記載のプログラム。
【請求項１８８】
ＰＣＩの前記範囲またはＰＣＩの前記セットがアクセスポイントの電力クラスに対応する、請求項１８７に記載のプログラム。
【請求項１８９】
ＰＣＩの前記範囲またはＰＣＩの前記セットがアクセスポイントのアクセス許可に対応する、請求項１８７に記載のプログラム。
【発明の詳細な説明】
【関連出願の相互参照】
【０００１】
本出願は、そのすべてが参照により本明細書に組み込まれる、２０１０年４月１３日に出願された米国仮特許出願第６１／３２３，７５６号、２０１０年９月２９日に出願された米国仮特許出願第６１／３８７，８８６号、および２０１０年９月２９日に出願された米国仮特許出願第６１／３８７，８７８号の利益を主張する。
【技術分野】
【０００２】
本開示のいくつかの態様は、一般にワイヤレス通信に関し、より詳細には、拡張セル間干渉協調（ｅＩＣＩＣ：enhanced inter-cell interference coordination）のためのリソースを区分することに関する。
【背景技術】
【０００３】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）の通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信による干渉を観測することがある。アップリンク上では、ＵＥからの送信は、ネイバー基地局と通信する他のＵＥからの送信に干渉を生じることがある。干渉は、ダウンリンクとアップリンクの両方でパフォーマンスを劣化させることがある。
【発明の概要】
【０００６】
本開示のいくつかの態様は、一般に、拡張セル間干渉協調（ｅＩＣＩＣ）のためのリソースを区分することに関する。いくつかの態様は、時間領域リソース区分情報（ＲＰＩ）を示すメッセージをブロードキャストすることを伴い、ユーザ機器（ＵＥ）はアイドルモードで動作していることがある。ＲＰＩを用いると、ＵＥは、近隣セルからの干渉が低減された／近隣セルからの干渉がない保護されたリソースを識別することが可能であり得る。このブロードキャストメッセージ中のＲＰＩは、Ｕ／Ｎ／Ｘサブフレームの列挙の代替または追加として、ビットマップとして符号化され得る。他の態様は、時間領域ＲＰＩを示す専用メッセージまたはユニキャストメッセージを送信することを伴い、ＵＥは接続モードで動作していることがある。ＲＰＩを用いると、ＵＥは、保護された時間領域リソース中にサービング基地局からの１つまたは複数の信号に基づいて、チャネル状態情報（ＣＳＩ）を判断すること、無線リソース管理（ＲＲＭ）測定を行うこと、または無線リンク監視（ＲＬＭ）を実行することが可能であり得る。
【０００７】
本開示の一態様では、ワイヤレス通信のための方法が提供される。本方法は、概して、連続フレーム番号（ＳＦＮ：sequential frame number）を取得することと、ＳＦＮに基づいて、サービングノードＢと少なくとも１つの非サービングノードＢとの間の協働リソース割振りの対象となる１つまたは複数の保護されたサブフレームと、協働リソース割振りの対象とならない保護されていないサブフレームとを判断することとを含む。
【０００８】
本開示の一態様では、ワイヤレス通信のための装置が提供される。本装置は、概して、連続フレーム番号（ＳＦＮ）を取得するための手段と、ＳＦＮに基づいて、サービングノードＢと少なくとも１つの非サービングノードＢとの間の協働リソース割振りの対象となる１つまたは複数の保護されたサブフレームと、協働リソース割振りの対象とならない保護されていないサブフレームとを判断するための手段とを含む。
【０００９】
本開示の一態様では、ワイヤレス通信のための方法が提供される。本方法は、概して、ユーザ機器（ＵＥ）において、異種ネットワーク中のサービングアクセスポイントと１つまたは複数の非サービングアクセスポイントとの間の時間領域リソース割当てに対応する時間領域リソース区分情報（ＲＰＩ）の指示を受信することと、時間領域ＲＰＩに基づいて１つまたは複数の保護された時間領域リソースを識別することであって、１つまたは複数の保護された時間領域リソースは、干渉アクセスポイントによる使用が制限される時間領域リソースである、識別することとを含む。
【００１０】
本開示の一態様では、ワイヤレス通信のための方法が提供される。本方法は、概して、異種ネットワーク中の時間領域リソース区分に関与することと、１つまたは複数の保護された時間領域リソースを識別する時間領域ＲＰＩの指示を送信することであって、１つまたは複数の保護された時間領域リソースは、干渉アクセスポイントによる使用が制限される時間領域リソースである、送信することとを含む。
【００１１】
本開示の一態様では、ワイヤレス通信のための装置が提供される。本装置は、概して、異種ネットワーク中のサービングアクセスポイントと１つまたは複数の非サービングアクセスポイントとの間の時間領域リソース割当てに対応する時間領域ＲＰＩの指示を受信するための手段と、時間領域ＲＰＩに基づいて１つまたは複数の保護された時間領域リソースを識別するための手段であって、１つまたは複数の保護された時間領域リソースは、干渉アクセスポイントによる使用が制限される時間領域リソースである、識別するための手段とを含む。
【００１２】
本開示の一態様では、ワイヤレス通信のための装置が提供される。本装置は、概して、異種ネットワーク中の時間領域リソース区分に関与するための手段と、１つまたは複数の保護された時間領域リソースを識別する時間領域ＲＰＩの指示を送信するための手段であって、１つまたは複数の保護された時間領域リソースは、干渉アクセスポイントによる使用が制限される時間領域リソースである、送信するための手段とを含む。
【００１３】
本開示の一態様では、ワイヤレス通信のための装置が提供される。本装置は、概して、異種ネットワーク中のサービングアクセスポイントと１つまたは複数の非サービングアクセスポイントとの間の時間領域リソース割当てに対応する時間領域ＲＰＩの指示を受信するように構成された受信機と、時間領域ＲＰＩに基づいて１つまたは複数の保護された時間領域リソースを識別するように構成された少なくとも１つのプロセッサであって、１つまたは複数の保護された時間領域リソースは、干渉アクセスポイントによる使用が制限される時間領域リソースである、少なくとも１つのプロセッサとを含む。
【００１４】
本開示の一態様では、ワイヤレス通信のための装置が提供される。本装置は、概して、異種ネットワーク中の時間領域リソース区分に関与するように構成された少なくとも１つのプロセッサと送信機とを含む。送信機は、一般に、１つまたは複数の保護された時間領域リソースを識別する時間領域ＲＰＩの指示を送信するように構成され、１つまたは複数の保護された時間領域リソースは、干渉アクセスポイントによる使用が制限される時間領域リソースである。
【００１５】
本開示の一態様では、ワイヤレス通信のためのコンピュータプログラム製品が提供される。本コンピュータプログラム製品は、概して、ＵＥにおいて、異種ネットワーク中のサービングアクセスポイントと１つまたは複数の非サービングアクセスポイントとの間の時間領域リソース割当てに対応する時間領域ＲＰＩの指示を受信することと、時間領域ＲＰＩに基づいて１つまたは複数の保護された時間領域リソースを識別することであって、１つまたは複数の保護された時間領域リソースは、干渉アクセスポイントによる使用が制限される時間領域リソースである、識別することとを行うためのコードを有するコンピュータ可読媒体を含む。
【００１６】
本開示の一態様では、ワイヤレス通信のためのコンピュータプログラム製品が提供される。本コンピュータプログラム製品は、概して、異種ネットワーク中の時間領域リソース区分に関与することと、１つまたは複数の保護された時間領域リソースを識別する時間領域ＲＰＩの指示を送信することであって、１つまたは複数の保護された時間領域リソースは、干渉アクセスポイントによる使用が制限される時間領域リソースである、送信することとを行うためのコードを有するコンピュータ可読媒体を含む。
【００１７】
本開示の様々な態様および特徴について以下でさらに詳細に説明する。
【図面の簡単な説明】
【００１８】
【図１】本開示のいくつかの態様による、ワイヤレス通信ネットワークの一例を概念的に示すブロック図。
【図２】本開示のいくつかの態様による、ワイヤレス通信ネットワークにおけるフレーム構造の一例を概念的に示すブロック図。
【図２Ａ】本開示のいくつかの態様による、アップリンクのリソースの割振りの一例を概念的に示すブロック図。
【図３】本開示のいくつかの態様による、ワイヤレス通信ネットワークにおいてユーザ機器（ＵＥ）と通信しているノードＢの一例を概念的に示すブロック図。
【図４】本開示のいくつかの態様による、例示的な異種ネットワークを示す図。
【図５】本開示のいくつかの態様による、異種ネットワークにおける例示的なリソース区分を示す図。
【図６】本開示のいくつかの態様による、異種ネットワークにおけるサブフレームの例示的な協働区分を示す図。
【図７】本開示による、協働リソース割振りの対象となる保護されたサブフレームを判断するために実行される例示的なブロックを概念的に示す機能ブロック図。
【図８Ａ】本開示のいくつかの態様による、保護された時間領域リソースを搬送するビットマップ情報を送信するための例示的な構造を示す図。
【図８Ｂ】本開示のいくつかの態様による、保護された時間領域リソースを搬送するビットマップ情報を送信するための例示的な構造を示す図。
【図８Ｃ】本開示のいくつかの態様による、保護された時間領域リソースを搬送するビットマップ情報を送信するための例示的な構造を示す図。
【図９】本開示のいくつかの態様による、異種ネットワーク中の保護されたリソースを示すブロードキャスト情報を受信するために実行される例示的なブロックを概念的に示す機能ブロック図。
【図１０】本開示のいくつかの態様による、保護されたリソースを示す情報をブロードキャストするために実行される例示的なブロックを概念的に示す機能ブロック図。
【図１１】本開示のいくつかの態様による、すべてのセルに共通のリソースを使用して、マクロセルに関連するＵＥにシグナリングされる制限付き測定リソースを示す図。
【図１２】本開示のいくつかの態様による、いくつかの測定を実行するための時間領域リソース割当てのサブセットを判断し、シグナリングするために実行される例示的なブロックを概念的に示す機能ブロック図。
【図１３】本開示のいくつかの態様による、受信した時間領域リソース区分情報（ＲＰＩ）に基づいて保護された時間領域リソースを識別するために実行される例示的なブロックを概念的に示す機能ブロック図。
【図１４】本開示のいくつかの態様による、異種ネットワーク中で時間領域リソース区分を利用するために実行される例示的なブロックを概念的に示す機能ブロック図。
【発明を実施するための形態】
【００１９】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００２０】
例示的なワイヤレスネットワーク
図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに通信カバレージを提供し得る。「セル」という用語は、この用語が使用される状況に応じて、ｅＮＢのカバレージエリアおよび／またはこのカバレージエリアにサービスするｅＮＢサブシステムを指すことがある。
【００２１】
ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢと呼ばれることがある。図１に示す例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００２２】
ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示す例では、中継局１１０ｒは、ｅＮＢ１１０ａとＵＥ１２０ｒとの間の通信を可能にするために、ｅＮＢ１１０ａおよびＵＥ１２０ｒと通信し得る。中継局は、リレーｅＮＢ、リレーなどと呼ばれることもある。
【００２３】
ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２４】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２５】
ネットワークコントローラ１３０は、ｅＮＢのセットに結合され、これらのｅＮＢの協調および制御を行い得る。ネットワークコントローラ１３０はバックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２６】
ＵＥ１２０は、ワイヤレスネットワーク１００全体にわたって分散され得、各ＵＥは、固定でも移動でもよい。ＵＥは、端末、移動局、加入者ユニット、局などとも呼ばれることがある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２７】
ＬＴＥは、ダウンリンク上では直交周波数分割多重（ＯＦＤＭ：orthogonal frequency division multiplexing）を利用し、アップリンク上ではシングルキャリア周波数分割多重（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定でもよく、サブキャリアの総数（Ｋ）はシステム帯域幅に依存し得る。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２８】
図２に、ＬＴＥにおいて使用されるフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）通常のサイクリックプレフィックスの場合はＬ＝７個のシンボル期間、または拡張されたサイクリックプレフィックスの場合はＬ＝６個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中にＮ個のサブキャリア（たとえば、１２個のサブキャリア）をカバーし得る。
【００２９】
ＬＴＥでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、通常のサイクリックをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨはあるシステム情報を搬送し得る。
【００３０】
ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、Ｍは、１、２、または３に等しくなり得、サブフレームごとに変化し得る。Ｍはまた、たとえば１０個未満のリソースブロックをもつ小さいシステム帯域幅の場合は４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００３１】
ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、システム帯域幅全体にわたってＰＣＦＩＣＨおよびＰＨＩＣＨを、これらのチャネルが送られる各シンボル期間中に送り得る。ｅＮＢは、システム帯域幅のいくつかの部分中でＵＥのグループにＰＤＣＣＨを送り得る。ｅＮＢは、システム帯域幅の特定の部分中で特定のＵＥにＰＤＳＣＨを送り得る。ｅＮＢは、すべてのＵＥにブロードキャストでＰＳＳ、ＳＳＳ、ＰＢＣＨ、ＰＣＦＩＣＨ、およびＰＨＩＣＨを送り得、特定のＵＥにユニキャストでＰＤＣＣＨを送り得、また、特定のＵＥにユニキャストでＰＤＳＣＨを送り得る。
【００３２】
いくつかのリソース要素が各シンボル期間中に利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、４つのリソース要素を１つのシンボル期間中に含み得る。ＰＣＦＩＣＨは、シンボル期間０中に周波数上でほぼ等しく離間し得る４つのＲＥＧを占有し得る。ＰＨＩＣＨは、１つまたは複数の構成可能なシンボル期間中に周波数上に拡散され得る３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して許可され得る。
【００３３】
ＵＥは、ＰＨＩＣＨおよびＰＣＦＩＣＨのために使用される特定のＲＥＧを知り得る。ＵＥは、ＰＤＣＣＨのためのＲＥＧの異なる組合せを探索し得る。探索すべき組合せの数は、一般に、ＰＤＣＣＨに対して許可される組合せの数よりも少ない。ｅＮＢは、ＵＥが探索することになる組合せのいずれかにおいてＵＥにＰＤＣＣＨを送り得る。
【００３４】
図２Ａは、本開示のいくつかの態様による、たとえば、ＬＴＥにおけるアップリンクに対応する、アップリンクのリソースの割振り２００Ａの一例を概念的に示すブロック図である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じる。
【００３５】
ＵＥには、ｅＮＢに制御情報を送信するために制御セクション中のリソースブロックが割り当てられ得る。ＵＥには、ｅＮＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）２１０中で制御情報を送信し得る。ＵＥは、データセクション中の割り当てられたリソースブロック上の物理アップリンク共有チャネル（ＰＵＳＣＨ）２２０中でデータまたはデータと制御情報の両方を送信し得る。アップリンク送信は、サブフレームの両方のスロットにわたり得、図２Ａに示すように周波数上でホッピングし得る。
【００３６】
ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３７】
ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）より低い受信電力をもつマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。
【００３８】
支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合、ＵＥ１２０ｘはピコｅＮＢ１１０ｘに接続することが望ましいことがある。これにより、ＵＥ１２０ｘの所与のデータレートに対してワイヤレスネットワークへの干渉が少なくなり得る。
【００３９】
一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数および上側周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の相対受信電力に基づいて（ｅＮＢの送信電力レベルには基づかずに）「弱い」ｅＮＢまたは「強い」ｅＮＢとして分類され得る。
【００４０】
図３に、図１の基地局／ｅＮＢのうちの１つであり得る基地局またはｅＮＢ１１０および図１のＵＥのうちの１つであり得るＵＥ１２０の設計のブロック図を示す。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、Ｔ個のアンテナ３３４ａ〜３３４ｔを装備し得、ＵＥ１２０は、Ｒ個のアンテナ３５２ａ〜３５２ｒを装備し得、概して、Ｔ≧１およびＲ≧１である。
【００４１】
ｅＮＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）して、それぞれデータシンボルと制御シンボルとを取得し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのＴ個のダウンリンク信号は、それぞれＴ個のアンテナ３３４ａ〜３３４ｔを介して送信され得る。
【００４２】
ＵＥ１２０において、アンテナ３５２ａ〜３５２ｒは、ｅＮＢ１１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して入力サンプルを取得し得る。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ１２０の復号されたデータをデータシンク３６０に与え、復号された制御情報をコントローラ／プロセッサ３８０に供給する。
【００４３】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に供給し、復号された制御情報をコントローラ／プロセッサ３４０に供給し得る。
【００４４】
コントローラ／プロセッサ３４０、３８０は、それぞれｅＮＢ１１０における動作およびＵＥ１２０における動作を指示し得る。ｅＮＢ１１０におけるコントローラ／プロセッサ３４０ならびに／または他のプロセッサおよびモジュールは、図１０のブロック１０００の動作、および／または本明細書で説明する技法のための他のプロセスを実行または指示し得る。ＵＥ１２０におけるコントローラ／プロセッサ３８０ならびに／または他のプロセッサおよびモジュールはまた、図７のブロック７００の動作、図９のブロック９００の動作、および／または本明細書で説明する技法のための他のプロセスを実行または指示し得る。メモリ３４２および３８２は、それぞれｅＮＢ１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００４５】
例示的なリソース区分
本開示のいくつかの態様によれば、ネットワークが拡張セル間干渉協調（ｅＩＣＩＣ）をサポートするとき、基地局は、干渉セルがそれのリソースの一部を断念することによって干渉を低減／なくすために、リソースを協調するために互いにネゴシエートし得る。ｅＩＣＩＣまたは同様の技法を使用すると、ＵＥは、干渉セルによってもたらされるリソースを使用してサービングセルにアクセスすることができ、さもなければ、ＵＥは厳しい干渉を受けることになる。
【００４６】
たとえば、オープンマクロセルのカバレージ中の限定アクセスモードにあるフェムトセル（すなわち、メンバーフェムトＵＥのみがこのセルにアクセスすることができる）は、マクロセルのためのカバレージホールを生成することができる。フェムトセルにそれのリソースの一部を断念させることによって、フェムトセルカバレージエリアの下のマクロＵＥは、フェムトセルによってもたらされるリソースを使用することによってＵＥのサービングマクロセルにアクセスすることができる。
【００４７】
Ｅ−ＵＴＲＡＮなど、ＯＦＤＭを使用する無線アクセスシステムでは、干渉セルによってもたらされるリソースは、時間ベース、周波数ベース、または両方の組合せであり得る。もたらされるリソースが時間ベースであるとき、干渉セルは、時間領域においてサブフレームの一部を使用しない。もたらされるリソースが周波数ベースであるとき、干渉セルは、周波数領域においてサブキャリアの一部を使用しない。もたらされるリソースが周波数と時間の両方の組合せであるとき、干渉セルは、周波数および時間によって定義されるいくつかのリソースを使用しない。
【００４８】
図４に、実線の無線リンク４０２によって示されるように、ｅＩＣＩＣは、マクロＵＥ１２０ｙがフェムトセル１１０ｙからの厳しい干渉下にあるときでも、ｅＩＣＩＣをサポートするマクロＵＥ１２０ｙ（たとえば、図４に示すＲｅｌ−１０マクロＵＥ）がマクロセル１１０ｃにアクセスすることを可能にし得るシナリオの一例を示す。破線の無線リンク４０４によって示されるように、レガシーマクロＵＥ１２０ｕ（たとえば、図４に示すＲｅｌ−８マクロＵＥ）は、フェムトセル１１０ｙからの厳しい干渉下でマクロセル１１０ｃにアクセスすることができないことがある。フェムトＵＥ１２０ｖ（たとえば、図４に示すＲｅｌ−８フェムトＵＥ）は、マクロセル１１０ｃからのいかなる干渉問題もなしにフェムトセル１１０ｙにアクセスし得る。
【００４９】
いくつかの態様によれば、基地局間のリソース区分は時間ベースで行われ得る。一例として、Ｅ−ＵＴＲＡＮの場合、リソースはサブフレームによって区分され得る。
【００５０】
いくつかの態様によれば、ネットワークは拡張干渉協調をサポートし得、区分情報の様々なセットがあり得る。これらのセットのうちの第１のセットを半静的リソース区分情報（ＳＲＰＩ：Semi-static Resource Partitioning information）と呼ぶことがある。これらのセットのうちの第２のセットを、適応型リソース区分情報（ＡＲＰＩ：Adaptive Resource Partitioning information）と呼ぶことがある。その名が示すように、ＳＲＰＩは頻繁に変化せず、ＳＲＰＩはＵＥに送られ得、したがってＵＥは、ＵＥ自体の動作のためにリソース区分情報を使用することができる。
【００５１】
一例として、リソース区分は、８ｍｓの周期性（８つのサブフレーム）または４０ｍｓ（４０個のサブフレーム）の周期性を有し得る。（たとえば、セルノードＢからＵＥへの）ダウンリンクについては、区分パターンは、知られているサブフレーム（たとえば、４の倍数のシステムフレーム番号（ＳＦＮ：system frame number）値を有する各無線フレームの第１のサブフレーム）にマッピングされ得る。したがって、そのようなマッピングは、特定のサブフレームのリソース区分情報を判断するために適用され得る。ダウンリンクについての例は、以下の通りであり得る。
【数１】
0005868946.tif 000002
【００５２】
アップリンクについては、ＳＲＰＩマッピングは、たとえば、４ｍｓだけシフトされ得る。したがって、アップリンクについての例は、以下の通りであり得る。
【数２】
0005868946.tif 000003
【００５３】
ＳＲＰＩは、各エントリ対して以下の３つの値を使用し得る。
【００５４】
・  Ｕ（使用）：この値は、サブフレームが、このセルによって使用されるべき支配的干渉からクリーンアップされていること（すなわち、主要な干渉セルがこのサブフレームを使用しないこと）を示す。
【００５５】
・  Ｎ（使用しない）：この値は、サブフレームが使用されないことを示す。
【００５６】
・  Ｘ（未知）：この値は、サブフレームが静的に区分されないことを示す。基地局間のリソース使用量ネゴシエーションの詳細はＵＥに知られない。
【００５７】
ＳＲＰＩのパラメータの別の可能なセットは、以下の通りであり得る。
【００５８】
・  Ｕ（使用）：この値は、サブフレームが、このセルによって使用されるべき支配的干渉からクリーンアップされていること（すなわち、主要な干渉セルがこのサブフレームを使用しないこと）を示す。
【００５９】
・  Ｎ（使用しない）：この値は、サブフレームが使用されないことを示す。
【００６０】
・  Ｘ（未知）：この値は、サブフレームが静的に区分されないことを示す（基地局間のリソース使用量ネゴシエーションの詳細はＵＥに知られない）。
【００６１】
・  Ｃ（共通）：この値は、すべてのセルがリソース区分なしにこのサブフレームを使用し得ることを示し得る。このサブフレームは干渉を受け得、したがって基地局は、厳しい干渉下にないＵＥのためにのみ、このサブフレームを使用することを選択し得る。
【００６２】
サービングセルのＳＲＰＩは無線でブロードキャストされ得る。Ｅ−ＵＴＲＡＮでは、サービングセルのＳＲＰＩは、マスタ情報ブロック（ＭＩＢ：master information block）か、またはシステム情報ブロック（ＳＩＢ：system information block）のうちの１つ中で送られ得る。事前定義されるＳＲＰＩは、セル、たとえば、マクロセル、（オープンアクセス状態の）ピコセル、および（限定アクセス状態の）フェムトセルの特性に基づいて定義され得る。そのような場合、システムオーバヘッドメッセージにおけるＳＲＰＩの符号化の結果として、無線でのブロードキャストがより効率的に行われ得る。
【００６３】
基地局はまた、ＳＩＢのうちの１つにおいてネイバーセルのＳＲＰＩをブロードキャストし得る。この場合、ＳＲＰＩは、それの対応する範囲の物理セル識別情報（ＰＣＩ：physical cell identity）を用いて送られ得る。
【００６４】
ＡＲＰＩは、ＳＲＰＩ中の「Ｘ」サブフレームについての詳細情報をもつさらなるリソース区分情報を表し得る。上記のように、「Ｘ」サブフレームについての詳細情報は、一般に基地局のみに知られる。
【００６５】
図５および図６に、マクロセルおよびフェムトセルを用いたシナリオで上記で説明したＳＲＰＩ割当ての例を示す。
【００６６】
リソース区分情報の例示的なブロードキャスト
図７は、本開示による、協働リソース割振りの対象となる保護されたサブフレームを判断するために実行される例示的なブロック７００を概念的に示す機能ブロック図である。ブロック７００は、たとえば、ＵＥまたはノードＢによって、ＳＦＮに基づいて保護されたサブフレームを判断するために実行され得る。７０２において、ＳＦＮを取得する。ブロック７０４において、ＳＦＮに基づいてサービングノードＢと少なくとも１つの非サービングノードＢとの間の協働リソース割振りの対象となる１つまたは複数の保護されたサブフレームを判断する。ブロック７０４において、協働リソース割振りの対象とならない１つまたは複数の保護されていないサブフレームも判断する。
【００６７】
本開示のいくつかの態様は、拡張干渉協調のためにＳＲＰＩを使用するための技法を提供する。本明細書で使用する「フェムト」という用語は、概して、限定加入者グループ（ＣＳＧ）をもつ限定ホーム拡張ノードＢ（ＨｅＮＢ）を指すことがあり、ＵＥは、（ＵＥがＣＳＧのメンバーでない場合）アクセスすることが許可されない。マクロフェムトシナリオでは、（マクロセルによってサービスされる）非メンバーＵＥは、フェムトセルの干渉から保護され、マクロセルにアクセスすることが許可され得る。
【００６８】
本明細書で使用する「ピコセル」という用語は、概して、送信電力がより小さいオープンアクセスｅＮＢを指す。また、本明細書で使用する「ＣＲＥ」という用語は、概して、マクロセルの範囲を拡大するためにピコセルが使用されるセル範囲拡大を指す。マクロピコシナリオでは、ピコが、場合によっては中程度のハンドオーバ（ＨＯ）バイアスを用いて、拡大された地理的領域中のそれのＵＥをサービスすることができるように、干渉を協調させることが望ましいことがある。
【００６９】
いくつかの態様によれば、リソースは時間領域において制限され得る。保護されたリソースは、場合によっては、干渉（または潜在的な干渉）セルによる使用が制限される任意のリソースに対応することがある。たとえば、保護されたサブフレーム中に、干渉セルは、基準信号、同期信号、および／またはいくつかの制御信号に限定され得る、オールモストブランクサブフレーム（ＡＢＳＦ、ＡＢＳとも呼ばれる）などの必要とされる送信に限定され得る。干渉（または潜在的な干渉）セルによる使用が制限されないリソースは、保護されていないリソースと見なされ得る。
【００７０】
上記の通り、ネットワークが拡張干渉協調をサポートするとき、基地局は、干渉セルがそれの時間リソースおよび／または周波数リソースの一部を断念することによって干渉を低減／なくすために、リソースを協調するために互いにネゴシエートし得る。上記で説明したように、図４に、ｅＩＣＩＣは、マクロＵＥ１２０ｙがフェムトセル１１０ｙからの厳しい干渉下にあるときでも、ｅＩＣＩＣをサポートするマクロＵＥ１２０ｙ（たとえば、図中のＲｅｌ−１０マクロＵＥ）がマクロセルにアクセスすることを可能にし得る例示的な「マクロフェムト」シナリオを示す。
【００７１】
考慮すべき別のシナリオは、セル範囲拡大（ＣＲＥ：cell range expansion）を用いる「マクロピコ」の場合であり、ＵＥは、弱いピコセルによってサービスされる。このシナリオでは、マクロセルは、ＵＥが弱いピコセルによってサービスされ得るように、いくつかの時間領域リソース（たとえば、Ｅ−ＵＴＲＡにおけるサブフレーム）を放棄し得る。
【００７２】
説明の大部分にわたって、基地局間のリソース区分は時間ベースであり得る（たとえば、Ｅ−ＵＴＲＡＮの場合、リソースはサブフレームによって区分される）。しかしながら、本明細書で提示する技法が、周波数リソースの協調区分、または時間リソースと周波数リソースの両方の組合せの協調区分を使用しても実行され得ることを当業者なら諒解されよう。
【００７３】
ネットワークが、時間領域リソース区分を使用して拡張干渉協調をサポートするとき、ネットワークは、セル選択および再選択などのモビリティ機能のためにアイドルモードのＵＥがどの時間領域リソースを使用すべきかに関する情報をブロードキャストし得る。いくつかの態様によれば、アグレッサ（aggressor）（すなわち、強い干渉を引き起こすセル）の静的にネゴシエートされたか、または割り当てられたオールモストブランクサブフレーム（ＡＢＳＦ）は、特に、ＵＥがアグレッサからの厳しい干渉下にあるときにＵＥによって使用され得る。
【００７４】
いくつかの態様によれば、フェムトのＡＢＳＦなどのリソース区分情報（ＲＰＩ）がブロードキャストされ得る。いくつかの態様によれば、この情報は、ビットマップとしてＳＩＢまたはＭＩＢ中に符号化され得る。このビットマップは、図５に関して上記で説明した（すなわち、Ｕ／Ｎ／Ｘを用いて列挙した）リソース区分情報をブロードキャストすることの代替または追加としてブロードキャストされ得る。
【００７５】
いくつかの態様によれば、この情報は、情報要素（ＩＥ）を用いてブロードキャストされ得る。たとえば、図８Ａに示すように、マクロフェムトの場合では、新しいＩＥが、たとえば、ＳＩＢ１／２中に定義され得る。このＩＥは、「限定加入者グループ（ＣＳＧ）からの強い干渉下での安全なリソース」を示すと見なされ得る。関係する挙動および使用量についてのこのような説明はマクロフェムトの場合に限定され得る。図示の例では、ビット２はフェムトセルのＡＢＳＦを示す。
【００７６】
図８Ｂに示す（ＣＲＥを用いる）マクロピコの場合では、ＩＥは、マクロフェムトの場合と極めて類似しているかまたは同じフォーマットでブロードキャスト中に含まれ得る。マクロピコの場合では、ＩＥは、「セル範囲拡大のための強い干渉下での安全なリソース」を示すと見なされ得る。図示の例では、ビット２はピコセルのＡＢＳＦを示す。マクロセルにキャンプオンしたアイドルモードのＵＥが弱いフェムトセルを検出することを試みないが、かつてピコセルに接続されたＵＥが、アイドルモードでピコ拡張境界領域（ＥＢＡ：extended boundary area）に残り得る場合、これは、（マクロセルによってではなく）ピコセルによってのみブロードキャストされ得る。
【００７７】
図８Ｃに示す別の可能な手法は、２つの異なるＩＥを定義することである（たとえば、マクロＳＩＢ１／２について、ＩＥは「アグレッサのＡＢＳＦ」として定義され得るが、フェムトＳＩＢ１／２中のＩＥは「自身のＡＢＳＦ」として定義され得る）。この差異は、マクロセルにキャンプオンするＵＥによる使用を対象とする前者（マクロＳＩＢ１／２）と、セルにキャンプオンすることができない非メンバーＵＥのみの使用を対象とする後者（フェムトＳＩＢ１／２）を区別し得る。
【００７８】
本明細書で提示するように、ユーティリティ関数を実行する際にアイドルモードにあるＵＥに利益を与え得る異種ネットワーク中で、リソース区分の様々なシグナリングが実行され得る。上記で説明したように、（たとえば、図５に示す列挙ベースのＳＲＰＩではなく、またはその代わりに）ビットマップ情報（たとえば、アグレッサセルのＡＢＳＦ）がブロードキャストされ得る。図８Ａ〜図８Ｃに示すように、これは、２つの関連するセル間に共通の情報であり得る（すなわち、同じ情報がフェムトシナリオとマクロフェムトシナリオの両方でブロードキャストされる）。
【００７９】
ＵＥは、特定の条件においてのみこのビットマップ情報を使用し得る。たとえば、マクロセルによってサービスされるＵＥがフェムトセルからの厳しい干渉下にあるときにのみ「限定加入者グループ（ＣＳＧ）からの強い干渉下での安全なリソース」が使用され得、「セル範囲拡大のための強い干渉下での安全なリソース」が、弱いピコセルにキャンプオンするＵＥによって使用され得る。この手法は、２つのＩＥの使用を伴い得るが、マクロピコの場合の前方互換性を可能にし得る。
【００８０】
図９は、本開示のいくつかの態様による、異種ネットワーク中の保護されたリソースを示すブロードキャスト情報を受信するために実行される例示的なブロック９００を概念的に示す機能ブロック図である。ブロック９００は、たとえば、ＵＥによって実行され得る。ブロック９０２において、ＵＥは、時間領域リソースに関する情報を備えるブロードキャストメッセージを受信する。時間領域リソースは、異種ネットワークのサービングアクセスポイントと１つまたは複数の非サービングアクセスポイントとの間のリソースの協働区分に基づいて判断された。ブロック９０４において、ＵＥは、この情報に基づいて、干渉アクセスポイントによる使用が制限される１つまたは複数の保護された時間領域リソースを識別する。
【００８１】
上記のように、ＵＥは、セル選択および再選択など、アイドルモードのモビリティ機能のためにこれらの保護された時間領域リソースを使用し得る。上記のように、保護されたリソースは、アグレッサアクセスポイント（たとえば、強い干渉を引き起こしているセルのアクセスポイント）の静的にネゴシエートされたか、または割り当てられたオールモストブランクサブフレーム（ＡＢＳＦ）に対応し得る。ＵＥがアグレッサからの厳しい干渉下にあるとき、そのような保護されたリソースを使用することが特に望ましいことがある。
【００８２】
図１０は、本開示のいくつかの態様による、保護されたリソースを示す情報をブロードキャストするために実行される例示的なブロック１０００を概念的に示す機能ブロック図である。ブロック１０００は、たとえば、異種ネットワーク中のアクセスポイント（たとえば、マクロ、フェムト、またはピコｅＮＢ）によって実行され得る。ブロック１００２において、アクセスポイントは、異種ネットワークの時間領域リソースの協働区分に関与する。この関与は、アクセスポイント間でのアクティブなネゴシエーション、または、たとえば、別のアクセスポイントからリソース区分情報を単に受信することを伴い得る。ブロック１００４において、アクセスポイントは、干渉アクセスポイントによる使用が制限される、異種ネットワークの１つまたは複数の保護された時間領域リソースを識別する情報を備えるメッセージをブロードキャストする。
【００８３】
拡張セル間干渉協調のためのＲＲＭ／ＲＬＭ測定
本開示のいくつかの態様では、ネットワークは、専用無線リソース制御（ＲＲＣ）シグナリングを使用して、拡張干渉協調のための無線リソース管理（ＲＲＭ）測定および無線リンク監視（ＲＬＭ）測定を実行するために接続モードのＵＥがどのリソースを使用し得るかに関する情報をシグナリングし得る。たとえば、マクロフェムトシナリオでは、非メンバーＵＥは、保護され、マクロセルにアクセスすることが許可され得る。さらなる例として、マクロピコシナリオでは、ピコセルが、場合によっては中程度のハンドオーバ（ＨＯ）バイアスを用いて、それのＵＥをより良くサービスし得るように、干渉が協調される必要があり得る。
【００８４】
ＵＥは、ＲＲＭ／ＲＬＭ測定を実行するために任意のサブフレーム（たとえば、非ＭＢＳＦＮ（非マルチメディアブロードキャストシングル周波数ネットワーク（non-multimedia broadcast over a single frequency network））サブフレーム）を使用し得る。ただし、異種ネットワークにおけるｅＩＣＩＣの適切な動作のために、ＵＥは、ＲＲＭ／ＲＬＭの測定のために特定のリソース（たとえば、サブフレーム）を使用し得る。たとえば、接続モードのＲＲＭ／ＲＬＭ測定では、ＵＥは、測定構成のために専用ＲＲＣシグナリングを使用し得る。
【００８５】
いくつかの態様では、基地局間のリソース区分は、本明細書でさらに説明するように、時間に基づき得る。たとえば、リソースは、（たとえば、Ｅ−ＵＴＲＡＮの場合）サブフレームによって区分され得る。他の態様では、基地局間のリソース区分は、周波数または時間と周波数の組合せに基づき得る。ネットワークが、時間領域リソース区分を使用して拡張干渉協調をサポートするとき、ネットワークは、専用ＲＲＣシグナリングを介したＲＲＭ／ＲＬＭ測定のために接続モードのＵＥがどのリソースを使用し得るかに関する情報をシグナリングし得る。アグレッサ（すなわち、強い干渉を引き起こすセル）の静的にネゴシエートされたか、または割り当てられたオールモストブランクサブフレーム（ＡＢＳＦ）は、特に、ＵＥがアグレッサからの厳しい干渉下にあるときにＵＥによって使用され得る。いくつかの態様では、ＡＢＳＦはＮサブフレームであり得る。
【００８６】
いくつかの態様では、ＵＥにシグナリングされる制限付き測定リソースは、すべてのセルに同じセットの制限付きリソースを備え得る。制限付きリソースのセットは、ＲＲＣメッセージ中の測定対象ＩＥ中に含まれ得る。他の態様では、ＵＥにシグナリングされる制限付き測定リソースは、（たとえば、マクロ／フェムト／ピコなどのセルタイプに従って）異なるセルごとに異なるセットのリソースを備え得る。たとえば、リソースのセットは、物理セル識別情報（ＰＣＩ）ごとに構成され得る。別の例として、リソースのセットは、ＰＣＩの範囲に構成され得る。
【００８７】
いくつかの態様では、ｅＮＢは、常に制限付き測定リソースを構成し得る。他の態様では、ｅＮＢは、（たとえば、異種ネットワーク中で）ＵＥによって報告される無線状態に基づいて制限付き測定リソースを構成し得る。
【００８８】
上記で説明した実施形態の組合せを使用し得る。たとえば、ＵＥにシグナリングされる制限付き測定リソースは、すべてのセルに共通のリソースを使用することを備え得、制限付き測定リソースは、ＵＥによって報告される無線状態に基づき得る。別の例として、ＵＥにシグナリングされる制限付き測定リソースは、セルタイプごとに異なるリソースを使用することを備え得、制限付き測定リソースは、常に、ｅＮＢによって構成され得る。
【００８９】
図１１に、すべてのセルに共通のリソースを使用して、マクロセル１０２ｃに関連するＵＥ１２０ｙにシグナリングされる制限付き測定リソースを示す。図１１に示すように、ピコセル１０２ｐおよびフェムトセル１０２ｙは、マクロセル１０２ｃのカバレージエリア内に常駐し得る。ＵＥ１２０ｙがフェムトセル１０２ｙに極めて近接していないとき、ＵＥ１２０ｙは、ピコセル１０２ｐを検出しようとして、ＲＲＭ／ＲＬＭ測定を実行するためにマクロセル１０２ｃのＮサブフレーム（すなわち、Ｎマクロ）を使用するように構成され得、Ｎマクロは、ピコセル１０２ｐのための保護されたサブフレーム（すなわち、Ｕピコ）に相関される。しかしながら、ＵＥ１０２ｙがフェムトセルのカバレージエリアに入ったとき（または、極近傍に来たとき）、マクロセル１０２ｃは、制限付きリソースを用いて新しい測定を構成し得る。したがって、ＵＥ１２０ｙは、ＲＲＭ／ＲＬＭ測定を実行するためにフェムトセル１０２ｙのＮサブフレーム（すなわち、Ｎフェムト）を使用するように構成され得、Ｎフェムトは、Ｎマクロとは異なるサブフレームであり得る。言い換えれば、ＵＥ１２０ｙは、ＵＥ１２０ｙがフェムトセル１０２ｙのカバレージエリアの極近傍にいないとき、制限付きリソースの別のセットを使用し得る。
【００９０】
いくつかの態様では、ＲＲＭおよびＲＬＭのための測定リソースは、共通に構成され得る。これにより、ＵＥは、ＵＥが適切なＲＲＭ測定を実行することができないとき、ＲＬＭに基づいて、無線リンク障害（ＲＬＦ：radio link failure）を正しく宣言し得ることが保証され得る。他の態様では、ＲＲＭおよびＲＬＭのための測定リソースは、別々に構成され得る。さらに、ｅＮＢは、ＵＥが強い干渉下にあるかどうかを推論するためにＵＥからの（すなわち、ＵＥが保護されたリソースと保護されていないリソースとに異なるチャネル状態情報（ＣＳＩ）値を報告するときの）ＣＳＩ報告を利用し得る。
【００９１】
図１２は、本開示のいくつかの態様による、いくつかの測定を実行するための時間領域リソース割当てのサブセットを判断し、シグナリングするために実行される例示的なブロック１２００を概念的に示す機能ブロック図である。ブロック１２００は、たとえば、ＵＥに、ｅＩＣＩＣのためのＲＲＭ／ＲＬＭ測定を実行するためのリソースをシグナリングする際に基地局またはｅＮＢ１１０によって実行され得る。ブロック１２０２において、基地局は、無線リソース管理（ＲＲＭ）プロシージャまたは無線リンク管理（ＲＬＭ）プロシージャのために使用される時間領域リソースを判断し得る。これらの時間領域リソースは、サービングアクセスポイントと１つまたは複数の非サービングアクセスポイントとの間のリソースの協働区分に基づいて判断される。ブロック１２０４において、基地局は、ＵＥに、ＵＥにおいて測定を実行するための時間領域リソースのサブセットをシグナリングし得る。
【００９２】
ｅＩＣＩＣのための一般的なリソース区分
図１３は、本開示のいくつかの態様による、受信した時間領域リソース区分情報（ＲＰＩ）に基づいて保護された時間領域リソースを識別するために実行される例示的なブロック１３００を概念的に示す機能ブロック図である。ブロック１３００は、たとえば、ＵＥ１２０によって実行され得る。
【００９３】
ブロック１３０２において、ＵＥは、時間領域ＲＰＩの指示を受信し得る。時間領域ＲＰＩは、異種ネットワーク（ＨｅｔＮｅｔ）中のサービングアクセスポイントと１つまたは複数の非サービングアクセスポイントとの間の時間領域リソース割当てに対応し得る。
【００９４】
ブロック１３０４において、ＵＥは、時間領域ＲＰＩに基づいて１つまたは複数の保護された時間領域リソースを識別し得る。１つまたは複数の保護された時間領域リソースは、干渉アクセスポイントによる使用が制限される時間領域リソースである。
【００９５】
いくつかの態様では、１つまたは複数の保護された時間領域リソースは、干渉アクセスポイントに関連するオールモストブランクサブフレーム（ＡＢＳ）を備え得る。時間領域ＲＰＩは、いくつかの態様では、１つまたは複数の保護された時間領域リソースを示す値に設定された１つまたは複数のビットをもつビットマップを備え得る。いくつかの態様では、１つまたは複数の保護された時間領域リソースは、サービングアクセスポイントと１つまたは複数の非サービングアクセスポイントとに共通であり得る。
【００９６】
いくつかの態様では、時間領域ＲＰＩの指示は、サービングアクセスポイントから受信され得る。いくつかの態様では、干渉アクセスポイントは、非サービングアクセスポイントのうちの１つであり得、１つまたは複数の保護された時間領域リソースは、サービングアクセスポイントに関連付けられ得る。干渉アクセスポイントは、ＵＥが属さない限定加入者グループ（ＣＳＧ）に関連付けられ得る。他の態様では、干渉アクセスポイントは、サービングアクセスポイントであり得、保護された時間領域リソースは、非サービングアクセスポイントに対応し得る。
【００９７】
いくつかの態様では、時間領域ＲＰＩの指示は、ブロードキャストメッセージ中で受信され得る。ＵＥは、ＵＥがアイドルモードにある間にブロードキャストメッセージを受信し得る。時間領域ＲＰＩは、システム情報ブロック（ＳＩＢ）中でブロードキャストされ得る。いくつかの態様では、ＵＥは、サービングアクセスポイントからネイバーリストを受信し得る。このネイバーリストは、ＳＩＢ中で時間領域ＲＰＩを搬送する。いくつかの態様では、ブロードキャストメッセージ中の時間領域ＲＰＩは、ブロードキャストメッセージを送信した第２のアクセスポイントとは異なる第１のアクセスポイントに関連付けられ得、第１のアクセスポイントと第２のアクセスポイントとは異種ネットワーク中にある。他の態様では、ブロードキャストメッセージ中の時間領域ＲＰＩは、ブロードキャストメッセージを送信したのと同じアクセスポイントに関連付けられ得る。
【００９８】
いくつかの態様では、ＵＥは、サービングアクセスポイントから、このサービングアクセスポイントに対応する時間領域ＲＰＩを備えるブロードキャストメッセージを受信し得る。ＵＥは、サービングアクセスポイントのための保護された時間領域リソースに基づいて１つまたは複数の非サービングアクセスポイントのための１つまたは複数の保護された時間領域リソースを導出することによって、保護されたリソースを識別し得る。いくつかの態様では、導出することは、１つまたは複数の非サービングアクセスポイントのための１つまたは複数の保護された時間領域リソースがサービングアクセスポイントのための保護された時間領域リソースと同じであると見なすことを備え得る。他の態様では、導出することは、１つまたは複数の非サービングアクセスポイントのための１つまたは複数の保護された時間領域リソースがサービングアクセスポイントのための保護された時間領域リソースを補完するものであると見なすことを備え得る。
【００９９】
いくつかの態様では、時間領域ＲＰＩの指示は、専用メッセージまたはユニキャストメッセージのうちの少なくとも１つを備え得る。ＵＥは、ＵＥが接続モードにある間に専用メッセージまたはユニキャストメッセージを受信し得る。いくつかの態様では、ＵＥは、１つまたは複数の保護された時間領域リソース中にサービングアクセスポイントからの基準信号の受信電力を判断し得る。
【０１００】
いくつかの態様では、ＵＥは、ブロック１３０６において、１つまたは複数の保護された時間領域リソース中にサービングアクセスポイントからの基準信号（ＲＳ）の受信電力を随意に判断する。いくつかの態様では、ＵＥは、ブロック１３０８において、１つまたは複数の保護された時間領域リソース中にサービングアクセスポイントからの１つまたは複数の信号に基づいて、（１）チャネル状態情報（ＣＳＩ）を判断すること、（２）無線リソース管理（ＲＲＭ）測定を行うこと、または（３）無線リンク監視（ＲＬＭ）を実行することのうちの少なくとも１つを随意に実行する。いくつかの態様では、ＲＲＭのための保護された時間領域リソースは、ＲＬＭのための保護された時間領域リソースと同じである。その場合は、ＲＲＭとＲＬＭの両方のための保護された時間領域リソースを示すために単一の情報要素（ＩＥ）が使用され得る。
【０１０１】
いくつかの態様では、ＵＥは、サービングアクセスポイントに関連する第１の保護された時間領域リソースを示す第１のＩＥを受信することと、非サービングアクセスポイントのうちの少なくとも１つに関連する第２の保護された時間領域リソースを示す第２のＩＥを受信することとを行うことによって時間領域ＲＰＩの指示を受信し得る。第２のＩＥは、非サービングアクセスポイントのうちの少なくとも１つの各々のためのセル識別情報（ＩＤ）を備え得る。いくつかの態様では、非サービングアクセスポイントのうちの少なくとも１つからの１つまたは複数の信号に基づいて、第２の保護された時間領域リソース中に、チャネル状態情報（ＣＳＩ）を判断すること、無線リソース管理（ＲＲＭ）測定を行うこと、および／または無線リンク監視（ＲＬＭ）を実行することを行い得る。
【０１０２】
図１４は、本開示のいくつかの態様による、ＨｅｔＮｅｔ中で時間領域リソース区分を利用するために実行される例示的なブロック１４００を概念的に示す機能ブロック図である。ブロック１４００は、たとえば、基地局またはｅＮＢ１１０によって実行され得る。
【０１０３】
ブロック１４０２において、基地局は、ＨｅｔＮｅｔにおける時間領域リソース区分に関与する。ブロック１４０４において、基地局は、１つまたは複数の保護された時間領域リソースを識別する時間領域ＲＰＩの指示を送信する。１つまたは複数の保護された時間領域リソースは、干渉アクセスポイントによる使用が制限される時間領域リソースである。
【０１０４】
いくつかの態様では、１つまたは複数の保護された時間領域リソースは、干渉アクセスポイントに関連するオールモストブランクサブフレーム（ＡＢＳ）を備え得る。時間領域ＲＰＩは、１つまたは複数の保護された時間領域リソースを示す値に設定された１つまたは複数のビットをもつビットマップを備え得る。いくつかの態様では、時間領域リソースは、異種ネットワーク中のサービングアクセスポイントと１つまたは複数の非サービングアクセスポイントとに共通に区分され得る。
【０１０５】
いくつかの態様では、基地局は、時間領域ＲＰＩの指示をブロードキャストすることによって指示を送信し得る。時間領域ＲＰＩは、システム情報ブロック（ＳＩＢ）の１つまたは複数の情報要素（ＩＥ）中、またはマスタ情報ブロック（ＭＩＢ）中など、ＳＩＢ中でブロードキャストされ得る。いくつかの態様では、時間領域ＲＰＩの指示は、１つまたは複数の保護された時間領域リソースに関連するアクセスポイントからブロードキャストされ得る。他の態様では、時間領域ＲＰＩの指示は、第１のアクセスポイントからブロードキャストされ得、１つまたは複数の保護された時間領域リソースは、第１のアクセスポイントとは異なる第２のアクセスポイントに関連付けられ得る。
【０１０６】
いくつかの態様では、基地局は、専用メッセージまたはユニキャストメッセージを使用して指示を送信し得る。時間領域ＲＰＩの指示は、接続モードで動作するユーザ機器（ＵＥ）に送信され得る。
【０１０７】
いくつかの態様では、基地局は、１４０６において、基準信号（ＲＳ）をＵＥに随意に送信し得る。１４０８において、基地局は、ＵＥから、１つまたは複数の保護された時間領域リソース中に判断された基準信号の受信電力の指示を受信し得る。
【０１０８】
いくつかの態様では、基地局は、１４１０において、１つまたは複数の信号をＵＥに随意に送信し得る。１４１２において、基地局は、ＵＥから、１つまたは複数の保護された時間領域リソース中に判断された１つまたは複数の信号に基づいてＣＳＩの指示を受信し得る。
【０１０９】
保護された時間領域リソースは、無線リソース管理（ＲＲＭ）プロシージャまたは無線リンク管理（ＲＬＭ）プロシージャのためにＵＥによって使用され得る。いくつかの態様では、ＲＲＭのための保護された時間領域リソースは、ＲＬＭのための保護された時間領域リソースと同じであり得る。
【０１１０】
いくつかの態様では、基地局は、ＵＥから、無線状態を示す報告を随意に受信し得る。基地局は、報告と時間領域リソース区分とに基づいて、時間領域ＲＰＩによって識別される１つまたは複数の保護された時間領域リソースを判断し得る。無線状態は、１つまたは複数の非サービングアクセスポイントへのＵＥの近接度に関係する情報を備え得る。保護された時間領域リソースは、１つまたは複数の非サービングアクセスポイントまたはサービングアクセスポイントのために区分された時間領域リソースを備え得る。
【０１１１】
いくつかの態様では、基地局は、異種ネットワーク中の第１のアクセスポイントに関連する第１の保護された時間領域リソースを示す第１のＩＥを送信することと、第１のアクセスポイントとは異なる１つまたは複数の第２のアクセスポイントに関連する第２の保護された時間領域リソースを示す第２のＩＥを送信することとによって指示を送信し得る。第１のアクセスポイントまたは第２のアクセスポイントは、時間領域ＲＰＩの指示を送信した基地局であり得る。
【０１１２】
いくつかの態様では、保護された時間領域リソースは、測定されているアクセスポイントの物理セル識別情報（ＰＣＩ）に依存し得る。保護された時間領域リソースは、ＰＣＩの範囲またはＰＣＩのセットのために構成され得る。ＰＣＩの範囲またはＰＣＩのセットは、アクセスポイントの電力クラスに、またはアクセスポイントのアクセス許可に対応し得る。
【０１１３】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。たとえば、送信するための手段または送るための手段は、図３に示すＵＥ１２０の送信機、変調器３５４、および／またはアンテナ３５２、あるいは図３に示すｅＮＢ１１０の送信機、変調器３３２、および／またはアンテナ３３４を備え得る。受信するための手段は、図３に示すＵＥ１２０の受信機、復調器３５４、および／またはアンテナ３５２、あるいは図３に示すｅＮＢ１１０の受信機、復調器３３２、および／またはアンテナ３３４を備え得る。処理するための手段、判断するための手段、識別するための手段、行うための手段、実行するための手段、および／または関与するための手段は、処理システムを備え得、その処理システムは、図３に示すｅＮＢ１１０の送信プロセッサ３２０、受信プロセッサ３３８、またはコントローラ／プロセッサ３４０、あるいはＵＥ１２０の受信プロセッサ３５８、送信プロセッサ３６４、またはコントローラ／プロセッサ３８０など、少なくとも１つのプロセッサを含み得る。
【０１１４】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１５】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１１６】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１７】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１１８】
１つまたは複数の例示的な態様では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコードを搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１１９】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
なお、以下に、出願当初の特許請求の範囲に記載された発明を付記する。
［Ｃ１］ユーザ機器（ＵＥ）において、異種ネットワーク中のサービングアクセスポイントと１つまたは複数の非サービングアクセスポイントとの間の時間領域リソース割当てに対応する時間領域リソース区分情報（ＲＰＩ）の指示を受信することと、
前記時間領域ＲＰＩに基づいて１つまたは複数の保護された時間領域リソースを識別することであって、前記１つまたは複数の保護された時間領域リソースは、干渉アクセスポイントによる使用が制限される時間領域リソースである、識別することと
を備える、ワイヤレス通信のための方法。
［Ｃ２］前記１つまたは複数の保護された時間領域リソースが、前記干渉アクセスポイントに関連するオールモストブランクサブフレーム（ＡＢＳ）を備える、Ｃ１に記載の方法。
［Ｃ３］前記時間領域ＲＰＩが、前記１つまたは複数の保護された時間領域リソースを示す値に設定された１つまたは複数のビットをもつビットマップを備える、Ｃ１に記載の方法。
［Ｃ４］前記時間領域ＲＰＩの前記指示が前記サービングアクセスポイントから受信される、Ｃ１に記載の方法。
［Ｃ５］前記干渉アクセスポイントが前記非サービングアクセスポイントのうちの１つであり、前記１つまたは複数の保護された時間領域リソースが前記サービングアクセスポイントに関連付けられる、Ｃ１に記載の方法。
［Ｃ６］前記干渉アクセスポイントは、前記ＵＥが属さない限定加入者グループ（ＣＳＧ）に関連付けられる、Ｃ５に記載の方法。
［Ｃ７］前記時間領域ＲＰＩの前記指示がブロードキャストメッセージ中で受信される、Ｃ１に記載の方法。
［Ｃ８］前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、Ｃ７に記載の方法。
［Ｃ９］前記時間領域ＲＰＩがシステム情報ブロック（ＳＩＢ）中でブロードキャストされる、Ｃ７に記載の方法。
［Ｃ１０］前記サービングアクセスポイントからネイバーリストを受信することをさらに備え、前記ネイバーリストが前記ＳＩＢ中で前記時間領域ＲＰＩを搬送する、Ｃ９に記載の方法。
［Ｃ１１］前記受信することが、前記サービングアクセスポイントから、前記サービングアクセスポイントに対応する前記時間領域ＲＰＩを備える前記ブロードキャストメッセージを受信することを備え、前記識別することが、前記サービングアクセスポイントのための前記保護された時間領域リソースに基づいて前記１つまたは複数の非サービングアクセスポイントのための前記１つまたは複数の保護された時間領域リソースを導出することを備える、Ｃ７に記載の方法。
［Ｃ１２］前記導出することは、前記１つまたは複数の非サービングアクセスポイントのための前記１つまたは複数の保護された時間領域リソースが前記サービングアクセスポイントのための前記保護された時間領域リソースと同じであると見なすことを備える、Ｃ１１に記載の方法。
［Ｃ１３］前記受信することが、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信することを備える、Ｃ７に記載の方法。
［Ｃ１４］前記ブロードキャストメッセージが、前記１つまたは複数の非サービングアクセスポイントからのシステム情報ブロックタイプ１（ＳＩＢ１）を備える、Ｃ１３に記載の方法。
［Ｃ１５］前記時間領域ＲＰＩがマスタ情報ブロック（ＭＩＢ）中でブロードキャストされる、Ｃ７に記載の方法。
［Ｃ１６］前記受信することは、前記ＵＥがアイドルモードにある間に前記ブロードキャストメッセージを受信することを備える、Ｃ７に記載の方法。
［Ｃ１７］前記時間領域ＲＰＩの前記指示が、専用メッセージまたはユニキャストメッセージのうちの少なくとも１つを備える、Ｃ１に記載の方法。
［Ｃ１８］前記受信することは、前記ＵＥが接続モードにある間に前記専用メッセージまたは前記ユニキャストメッセージのうちの前記少なくとも１つを受信することを備える、Ｃ１７に記載の方法。
［Ｃ１９］前記ＵＥにおいて、前記１つまたは複数の保護された時間領域リソース中に前記サービングアクセスポイントからの基準信号の受信電力を判断することをさらに備える、Ｃ１７に記載の方法。
［Ｃ２０］前記ＵＥにおいて、前記１つまたは複数の保護された時間領域リソース中に前記サービングアクセスポイントからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つをさらに備える、Ｃ１７に記載の方法。
［Ｃ２１］ＲＲＭのための前記１つまたは複数の保護された時間領域リソースが、ＲＬＭのための前記保護された時間領域リソースと同じである、Ｃ２０に記載の方法。
［Ｃ２２］ＲＲＭとＲＬＭの両方のための前記保護された時間領域リソースを示すために単一の情報要素（ＩＥ）が使用される、Ｃ２１に記載の方法。
［Ｃ２３］前記時間領域ＲＰＩの前記指示を受信することが、
前記サービングアクセスポイントに関連する第１の保護された時間領域リソースを示す第１の情報要素（ＩＥ）を受信することと、
前記非サービングアクセスポイントのうちの少なくとも１つに関連する第２の保護された時間領域リソースを示す第２のＩＥを受信することと
を備える、Ｃ１７に記載の方法。
［Ｃ２４］前記第２のＩＥが、前記非サービングアクセスポイントのうちの前記少なくとも１つの各々のためのセル識別情報（ＩＤ）を備える、Ｃ２３に記載の方法。
［Ｃ２５］前記ＵＥにおいて、前記第２の保護された時間領域リソース中に前記非サービングアクセスポイントのうちの前記少なくとも１つからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つをさらに備える、Ｃ２３に記載の方法。
［Ｃ２６］前記１つまたは複数の保護された時間領域リソースが、前記サービングアクセスポイントと前記１つまたは複数の非サービングアクセスポイントとに共通である、Ｃ１に記載の方法。
［Ｃ２７］異種ネットワーク中のサービングアクセスポイントと１つまたは複数の非サービングアクセスポイントとの間の時間領域リソース割当てに対応する時間領域リソース区分情報（ＲＰＩ）の指示を受信するように構成された受信機と、
前記時間領域ＲＰＩに基づいて１つまたは複数の保護された時間領域リソースを識別するように構成された少なくとも１つのプロセッサであって、前記１つまたは複数の保護された時間領域リソースは、干渉アクセスポイントによる使用が制限される時間領域リソースである、少なくとも１つのプロセッサと
を備える、ワイヤレス通信のための装置。
［Ｃ２８］前記１つまたは複数の保護された時間領域リソースが、前記干渉アクセスポイントに関連するオールモストブランクサブフレーム（ＡＢＳ）を備える、Ｃ２７に記載の装置。
［Ｃ２９］前記時間領域ＲＰＩが、前記１つまたは複数の保護された時間領域リソースを示す値に設定される１つまたは複数のビットをもつビットマップを備える、Ｃ２７に記載の装置。
［Ｃ３０］前記時間領域ＲＰＩの前記指示が前記サービングアクセスポイントから受信される、Ｃ２７に記載の装置。
［Ｃ３１］前記干渉アクセスポイントが前記非サービングアクセスポイントのうちの１つであり、前記１つまたは複数の保護された時間領域リソースが前記サービングアクセスポイントに関連付けられる、Ｃ２７に記載の装置。
［Ｃ３２］前記干渉アクセスポイントは、前記装置が属さない限定加入者グループ（ＣＳＧ）に関連付けられる、Ｃ３１に記載の装置。
［Ｃ３３］前記時間領域ＲＰＩの前記指示がブロードキャストメッセージ中で受信される、Ｃ２７に記載の装置。
［Ｃ３４］前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、Ｃ３３に記載の装置。
［Ｃ３５］前記時間領域ＲＰＩがシステム情報ブロック（ＳＩＢ）中でブロードキャストされる、Ｃ３３に記載の装置。
［Ｃ３６］前記受信機が、前記サービングアクセスポイントからネイバーリストを受信するように構成され、前記ネイバーリストが前記ＳＩＢ中で前記時間領域ＲＰＩを搬送する、Ｃ３５に記載の装置。
［Ｃ３７］前記受信機が、前記サービングアクセスポイントから、前記サービングアクセスポイントに対応する前記時間領域ＲＰＩを備える前記ブロードキャストメッセージを受信するように構成され、前記少なくとも１つのプロセッサが、前記サービングアクセスポイントのための前記保護された時間領域リソースに基づいて、前記１つまたは複数の非サービングアクセスポイントのための前記１つまたは複数の保護された時間領域リソースを導出することによって前記１つまたは複数の保護された時間領域リソースを識別するように構成された、Ｃ３３に記載の装置。
［Ｃ３８］前記導出することは、前記１つまたは複数の非サービングアクセスポイントのための前記１つまたは複数の保護された時間領域リソースが前記サービングアクセスポイントのための前記保護された時間領域リソースと同じであると見なすことを備える、Ｃ３７に記載の装置。
［Ｃ３９］前記受信機が、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信するように構成された、Ｃ３３に記載の装置。
［Ｃ４０］前記ブロードキャストメッセージが、前記１つまたは複数の非サービングアクセスポイントからのシステム情報ブロックタイプ１（ＳＩＢ１）を備える、Ｃ３９に記載の装置。
［Ｃ４１］前記時間領域ＲＰＩがマスタ情報ブロック（ＭＩＢ）中でブロードキャストされる、Ｃ３３に記載の装置。
［Ｃ４２］前記受信機は、前記装置がアイドルモードにある間に前記ブロードキャストメッセージを受信するように構成された、Ｃ３３に記載の装置。
［Ｃ４３］前記時間領域ＲＰＩの前記指示が、専用メッセージまたはユニキャストメッセージのうちの少なくとも１つを備える、Ｃ２７に記載の装置。
［Ｃ４４］前記受信機は、前記装置が接続モードにある間に前記専用メッセージまたは前記ユニキャストメッセージのうちの前記少なくとも１つを受信するように構成された、Ｃ４３に記載の装置。
［Ｃ４５］前記少なくとも１つのプロセッサが、前記１つまたは複数の保護された時間領域リソース中に前記サービングアクセスポイントからの基準信号の受信電力を判断するように構成された、Ｃ４３に記載の装置。
［Ｃ４６］前記少なくとも１つのプロセッサが、前記１つまたは複数の保護された時間領域リソース中に前記サービングアクセスポイントからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つを行うように構成された、Ｃ４３に記載の装置。
［Ｃ４７］ＲＲＭのための前記１つまたは複数の保護された時間領域リソースが、ＲＬＭのための前記保護された時間領域リソースと同じである、Ｃ４６に記載の装置。
［Ｃ４８］ＲＲＭとＲＬＭの両方のための前記保護された時間領域リソースを示すために単一の情報要素（ＩＥ）が使用される、Ｃ４７に記載の装置。
［Ｃ４９］前記受信機が、
前記サービングアクセスポイントに関連する第１の保護された時間領域リソースを示す第１の情報要素（ＩＥ）を受信することと、
前記非サービングアクセスポイントのうちの少なくとも１つに関連する第２の保護された時間領域リソースを示す第２のＩＥを受信することと
を行うことによって前記時間領域ＲＰＩの前記指示を受信するように構成された、Ｃ４３に記載の装置。
［Ｃ５０］前記第２のＩＥが、前記非サービングアクセスポイントのうちの前記少なくとも１つの各々のためのセル識別情報（ＩＤ）を備える、Ｃ４９に記載の装置。
［Ｃ５１］前記少なくとも１つのプロセッサが、前記第２の保護された時間領域リソース中に前記非サービングアクセスポイントのうちの前記少なくとも１つからの１つまたは複数の信号に基づいて、チャネル状態情報（ＣＳＩ）を判断すること、無線リソース管理（ＲＲＭ）測定を行うこと、または無線リンク監視（ＲＬＭ）を実行することのうちの少なくとも１つを行うように構成された、Ｃ４９に記載の装置。
［Ｃ５２］前記１つまたは複数の保護された時間領域リソースが、前記サービングアクセスポイントと前記１つまたは複数の非サービングアクセスポイントとに共通である、Ｃ２７に記載の装置。
［Ｃ５３］異種ネットワーク中のサービングアクセスポイントと１つまたは複数の非サービングアクセスポイントとの間の時間領域リソース割当てに対応する時間領域リソース区分情報（ＲＰＩ）の指示を受信するための手段と、
前記時間領域ＲＰＩに基づいて１つまたは複数の保護された時間領域リソースを識別するための手段であって、前記１つまたは複数の保護された時間領域リソースは、干渉アクセスポイントによる使用が制限される時間領域リソースである、識別するための手段と
を備える、ワイヤレス通信のための装置。
［Ｃ５４］前記１つまたは複数の保護された時間領域リソースが、前記干渉アクセスポイントに関連するオールモストブランクサブフレーム（ＡＢＳ）を備える、Ｃ５３に記載の装置。
［Ｃ５５］前記時間領域ＲＰＩが、前記１つまたは複数の保護された時間領域リソースを示す値に設定される１つまたは複数のビットをもつビットマップを備える、Ｃ５３に記載の装置。
［Ｃ５６］前記時間領域ＲＰＩの前記指示が前記サービングアクセスポイントから受信される、Ｃ５３に記載の装置。
［Ｃ５７］前記干渉アクセスポイントが前記非サービングアクセスポイントのうちの１つであり、前記１つまたは複数の保護された時間領域リソースが前記サービングアクセスポイントに関連付けられる、Ｃ５３に記載の装置。
［Ｃ５８］前記干渉アクセスポイントは、前記装置が属さない限定加入者グループ（ＣＳＧ）に関連付けられる、Ｃ５７に記載の装置。
［Ｃ５９］前記時間領域ＲＰＩの前記指示がブロードキャストメッセージ中で受信される、Ｃ５３に記載の装置。
［Ｃ６０］前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、Ｃ５９に記載の装置。
［Ｃ６１］前記時間領域ＲＰＩがシステム情報ブロック（ＳＩＢ）中でブロードキャストされる、Ｃ５９に記載の装置。
［Ｃ６２］受信するための前記手段が、前記サービングアクセスポイントからネイバーリストを受信するように構成され、前記ネイバーリストが前記ＳＩＢ中で前記時間領域ＲＰＩを搬送する、Ｃ６１に記載の装置。
［Ｃ６３］受信するための前記手段が、前記サービングアクセスポイントから、前記サービングアクセスポイントに対応する前記時間領域ＲＰＩを備える前記ブロードキャストメッセージを受信するように構成され、識別するための前記手段が、前記サービングアクセスポイントのための前記保護された時間領域リソースに基づいて、前記１つまたは複数の非サービングアクセスポイントのための前記１つまたは複数の保護された時間領域リソースを導出するように構成された、Ｃ５９に記載の装置。
［Ｃ６４］識別するための前記手段が、前記１つまたは複数の非サービングアクセスポイントのための前記１つまたは複数の保護された時間領域リソースが前記サービングアクセスポイントのための前記保護された時間領域リソースと同じであると見なすことによって前記１つまたは複数の保護された時間領域リソースを導出するように構成された、Ｃ６３に記載の装置。
［Ｃ６５］受信するための前記手段が、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信するように構成された、Ｃ５９に記載の装置。
［Ｃ６６］前記ブロードキャストメッセージが、前記１つまたは複数の非サービングアクセスポイントからのシステム情報ブロックタイプ１（ＳＩＢ１）を備える、Ｃ６５に記載の装置。
［Ｃ６７］前記時間領域ＲＰＩがマスタ情報ブロック（ＭＩＢ）中でブロードキャストされる、Ｃ５９に記載の装置。
［Ｃ６８］受信するための前記手段は、前記装置がアイドルモードにある間に前記ブロードキャストメッセージを受信するように構成された、Ｃ５９に記載の装置。
［Ｃ６９］前記時間領域ＲＰＩの前記指示が、専用メッセージまたはユニキャストメッセージのうちの少なくとも１つを備える、Ｃ５３に記載の装置。
［Ｃ７０］受信するための前記手段は、前記装置が接続モードにある間に前記専用メッセージまたは前記ユニキャストメッセージのうちの前記少なくとも１つを受信するように構成された、Ｃ６９に記載の装置。
［Ｃ７１］前記１つまたは複数の保護された時間領域リソース中に前記サービングアクセスポイントからの基準信号の受信電力を判断するための手段をさらに備える、Ｃ６９に記載の装置。
［Ｃ７２］前記１つまたは複数の保護された時間領域リソース中に前記サービングアクセスポイントからの１つまたは複数の信号に基づいて、チャネル状態情報（ＣＳＩ）を判断するための手段、無線リソース管理（ＲＲＭ）測定を行うための手段、または無線リンク監視（ＲＬＭ）を実行するための手段のうちの少なくとも１つをさらに備える、Ｃ６９に記載の装置。
［Ｃ７３］ＲＲＭのための前記１つまたは複数の保護された時間領域リソースが、ＲＬＭのための前記保護された時間領域リソースと同じである、Ｃ７２に記載の装置。
［Ｃ７４］ＲＲＭとＲＬＭの両方のための前記保護された時間領域リソースを示すために単一の情報要素（ＩＥ）が使用される、Ｃ７３に記載の装置。
［Ｃ７５］受信するための手段が、
前記サービングアクセスポイントに関連する第１の保護された時間領域リソースを示す第１の情報要素（ＩＥ）を受信することと、
前記非サービングアクセスポイントのうちの少なくとも１つに関連する第２の保護された時間領域リソースを示す第２のＩＥを受信することと
を行うように構成された、Ｃ５９に記載の装置。
［Ｃ７６］前記第２のＩＥが、前記非サービングアクセスポイントのうちの前記少なくとも１つの各々のためのセル識別情報（ＩＤ）を備える、Ｃ７５に記載の装置。
［Ｃ７７］前記第２の保護された時間領域リソース中に前記非サービングアクセスポイントのうちの前記少なくとも１つからの１つまたは複数の信号に基づいて、チャネル状態情報（ＣＳＩ）を判断するための手段、無線リソース管理（ＲＲＭ）測定を行うための手段、または無線リンク監視（ＲＬＭ）を実行するための手段のうちの少なくとも１つをさらに備える、Ｃ７５に記載の装置。
［Ｃ７８］前記１つまたは複数の保護された時間領域リソースが、前記サービングアクセスポイントと前記１つまたは複数の非サービングアクセスポイントとに共通である、Ｃ５３に記載の装置。
［Ｃ７９］ワイヤレス通信のためのコンピュータプログラム製品であって、
ユーザ機器（ＵＥ）において、異種ネットワーク中のサービングアクセスポイントと１つまたは複数の非サービングアクセスポイントとの間の時間領域リソース割当てに対応する時間領域リソース区分情報（ＲＰＩ）の指示を受信することと、
前記時間領域ＲＰＩに基づいて１つまたは複数の保護された時間領域リソースを識別することであって、前記１つまたは複数の保護された時間領域リソースは、干渉アクセスポイントによる使用が制限される時間領域リソースである、識別することと
を行うためのコードを有するコンピュータ可読媒体
を備える、コンピュータプログラム製品。
［Ｃ８０］前記１つまたは複数の保護された時間領域リソースが、前記干渉アクセスポイントに関連するオールモストブランクサブフレーム（ＡＢＳ）を備える、Ｃ７９に記載のコンピュータプログラム製品。
［Ｃ８１］前記時間領域ＲＰＩが、前記１つまたは複数の保護された時間領域リソースを示す値に設定される１つまたは複数のビットをもつビットマップを備える、Ｃ７９に記載のコンピュータプログラム製品。
［Ｃ８２］前記時間領域ＲＰＩの前記指示が前記サービングアクセスポイントから受信される、Ｃ７９に記載のコンピュータプログラム製品。
［Ｃ８３］前記干渉アクセスポイントが前記非サービングアクセスポイントのうちの１つであり、前記１つまたは複数の保護された時間領域リソースが前記サービングアクセスポイントに関連付けられる、Ｃ７９に記載のコンピュータプログラム製品。
［Ｃ８４］前記干渉アクセスポイントは、前記ＵＥが属さない限定加入者グループ（ＣＳＧ）に関連付けられる、Ｃ８３に記載のコンピュータプログラム製品。
［Ｃ８５］前記時間領域ＲＰＩの前記指示がブロードキャストメッセージ中で受信される、Ｃ７９に記載のコンピュータプログラム製品。
［Ｃ８６］前記ブロードキャストメッセージ中の前記時間領域ＲＰＩが、前記ブロードキャストメッセージを送信した第２のアクセスポイントとは異なる第１のアクセスポイントに関連付けられ、前記第１のアクセスポイントと前記第２のアクセスポイントとが前記異種ネットワーク中にある、Ｃ８５に記載のコンピュータプログラム製品。
［Ｃ８７］前記時間領域ＲＰＩがシステム情報ブロック（ＳＩＢ）中でブロードキャストされる、Ｃ８５に記載のコンピュータプログラム製品。
［Ｃ８８］前記サービングアクセスポイントからネイバーリストを受信するためのコードをさらに備え、前記ネイバーリストが前記ＳＩＢ中で前記時間領域ＲＰＩを搬送する、Ｃ８７に記載のコンピュータプログラム製品。
［Ｃ８９］前記受信することが、前記サービングアクセスポイントから、前記サービングアクセスポイントに対応する前記時間領域ＲＰＩを備える前記ブロードキャストメッセージを受信することを備え、前記識別することが、前記サービングアクセスポイントのための前記保護された時間領域リソースに基づいて前記１つまたは複数の非サービングアクセスポイントのための前記１つまたは複数の保護された時間領域リソースを導出することを備える、Ｃ８５に記載のコンピュータプログラム製品。
［Ｃ９０］前記導出することは、前記１つまたは複数の非サービングアクセスポイントのための前記１つまたは複数の保護された時間領域リソースが前記サービングアクセスポイントのための前記保護された時間領域リソースと同じであると見なすことを備える、Ｃ８９に記載のコンピュータプログラム製品。
［Ｃ９１］前記受信することが、前記１つまたは複数の非サービングアクセスポイントから、前記１つまたは複数の非サービングアクセスポイントのための前記１つまたは複数の保護された時間領域リソースに関する前記時間領域ＲＰＩを備える前記ブロードキャストメッセージを受信することを備える、Ｃ８５に記載のコンピュータプログラム製品。
［Ｃ９２］前記ブロードキャストメッセージが、前記１つまたは複数の非サービングアクセスポイントからのシステム情報ブロックタイプ１（ＳＩＢ１）を備える、Ｃ９１に記載のコンピュータプログラム製品。
［Ｃ９３］前記時間領域ＲＰＩがマスタ情報ブロック（ＭＩＢ）中でブロードキャストされる、Ｃ８５に記載のコンピュータプログラム製品。
［Ｃ９４］前記受信することは、前記ＵＥがアイドルモードにある間に前記ブロードキャストメッセージを受信することを備える、Ｃ８５に記載のコンピュータプログラム製品。
［Ｃ９５］前記時間領域ＲＰＩの前記指示が、専用メッセージまたはユニキャストメッセージのうちの少なくとも１つを備える、Ｃ７９に記載のコンピュータプログラム製品。
［Ｃ９６］前記受信することは、前記ＵＥが接続モードにある間に前記専用メッセージまたは前記ユニキャストメッセージのうちの前記少なくとも１つを受信することを備える、Ｃ９５に記載のコンピュータプログラム製品。
［Ｃ９７］前記ＵＥにおいて、前記１つまたは複数の保護された時間領域リソース中に前記サービングアクセスポイントからの基準信号の受信電力を判断するためのコードをさらに備える、Ｃ９５に記載のコンピュータプログラム製品。
［Ｃ９８］前記１つまたは複数の保護された時間領域リソース中に前記サービングアクセスポイントからの１つまたは複数の信号に基づいて、前記ＵＥにおいて、チャネル状態情報（ＣＳＩ）を判断すること、無線リソース管理（ＲＲＭ）測定を行うこと、または無線リンク監視（ＲＬＭ）を実行することのうちの少なくとも１つを行うためのコードさらに備える、Ｃ９５に記載のコンピュータプログラム製品。
［Ｃ９９］ＲＲＭのための前記１つまたは複数の保護された時間領域リソースが、ＲＬＭのための前記保護された時間領域リソースと同じである、Ｃ９８に記載のコンピュータプログラム製品。
［Ｃ１００］ＲＲＭとＲＬＭの両方のための前記保護された時間領域リソースを示すために単一の情報要素（ＩＥ）が使用される、Ｃ９９に記載のコンピュータプログラム製品。
［Ｃ１０１］前記時間領域ＲＰＩの前記指示を受信することが、
前記サービングアクセスポイントに関連する第１の保護された時間領域リソースを示す第１の情報要素（ＩＥ）を受信することと、
前記非サービングアクセスポイントのうちの少なくとも１つに関連する第２の保護された時間領域リソースを示す第２のＩＥを受信することと
を備える、Ｃ９５に記載のコンピュータプログラム製品。
［Ｃ１０２］前記第２のＩＥが、前記非サービングアクセスポイントのうちの前記少なくとも１つの各々のためのセル識別情報（ＩＤ）を備える、Ｃ１０１に記載のコンピュータプログラム製品。
［Ｃ１０３］前記第２の保護された時間領域リソース中に前記非サービングアクセスポイントのうちの前記少なくとも１つからの１つまたは複数の信号に基づいて、前記ＵＥにおいて、チャネル状態情報（ＣＳＩ）を判断すること、無線リソース管理（ＲＲＭ）測定を行うこと、または無線リンク監視（ＲＬＭ）を実行することのうちの少なくとも１つを行うためのコードをさらに備える、Ｃ１０１に記載のコンピュータプログラム製品。
［Ｃ１０４］前記１つまたは複数の保護された時間領域リソースが、前記サービングアクセスポイントと前記１つまたは複数の非サービングアクセスポイントとに共通である、Ｃ７９に記載のコンピュータプログラム製品。
［Ｃ１０５］異種ネットワーク中の時間領域リソース区分に関与することと、
１つまたは複数の保護された時間領域リソースを識別する時間領域リソース区分情報（ＲＰＩ）の指示を送信することであって、前記１つまたは複数の保護された時間領域リソースは、干渉アクセスポイントによる使用が制限される時間領域リソースである、送信することと
を備える、ワイヤレス通信のための方法。
［Ｃ１０６］前記１つまたは複数の保護された時間領域リソースが、前記干渉アクセスポイントに関連するオールモストブランクサブフレーム（ＡＢＳ）を備える、Ｃ１０５に記載の方法。
［Ｃ１０７］前記時間領域ＲＰＩが、前記１つまたは複数の保護された時間領域リソースを示す値に設定された１つまたは複数のビットをもつビットマップを備える、Ｃ１０５に記載の方法。
［Ｃ１０８］前記送信することが、前記時間領域ＲＰＩの前記指示をブロードキャストすることを備える、Ｃ１０５に記載の方法。
［Ｃ１０９］前記時間領域ＲＰＩの前記指示が、前記１つまたは複数の保護された時間領域リソースに関連するアクセスポイントからブロードキャストされる、Ｃ１０８に記載の方法。
［Ｃ１１０］前記時間領域ＲＰＩの前記指示が、第１のアクセスポイントからブロードキャストされ、前記１つまたは複数の保護された時間領域リソースが、前記第１のアクセスポイントとは異なる第２のアクセスポイントに関連付けられる、Ｃ１０８に記載の方法。
［Ｃ１１１］前記時間領域ＲＰＩがシステム情報ブロック（ＳＩＢ）中でブロードキャストされる、Ｃ１０８に記載の方法。
［Ｃ１１２］前記時間領域ＲＰＩが前記ＳＩＢの１つまたは複数の情報要素（ＩＥ）中でブロードキャストされる、Ｃ１１１に記載の方法。
［Ｃ１１３］前記時間領域ＲＰＩがマスタ情報ブロック（ＭＩＢ）中でブロードキャストされる、Ｃ１０８に記載の方法。
［Ｃ１１４］前記時間領域ＲＰＩの前記指示が、専用メッセージまたはユニキャストメッセージのうちの少なくとも１つを使用して送信される、Ｃ１０５に記載の方法。
［Ｃ１１５］前記時間領域ＲＰＩの前記指示が、接続モードで動作するユーザ機器（ＵＥ）に送信される、Ｃ１１４に記載の方法。
［Ｃ１１６］基準信号を送信することと、
前記ＵＥから、前記１つまたは複数の保護された時間領域リソース中に判断された前記基準信号の受信電力の指示を受信することと
をさらに備える、Ｃ１１５に記載の方法。
［Ｃ１１７］１つまたは複数の信号を送信することと、
前記ＵＥから、前記１つまたは複数の保護された時間領域リソース中に判断された前記１つまたは複数の信号に基づいてチャネル状態情報（ＣＳＩ）の指示を受信することと
をさらに備える、Ｃ１１５に記載の方法。
［Ｃ１１８］前記保護された時間領域リソースが、無線リソース管理（ＲＲＭ）プロシージャまたは無線リンク管理（ＲＬＭ）プロシージャのために前記ＵＥによって使用される、Ｃ１１５に記載の方法。
［Ｃ１１９］ＲＲＭのための前記１つまたは複数の保護された時間領域リソースが、ＲＬＭのための前記保護された時間領域リソースと同じである、Ｃ１１８に記載の方法。
［Ｃ１２０］前記ＵＥから、無線状態を示す報告を受信することと、
前記報告と前記時間領域リソース区分とに基づいて、前記時間領域ＲＰＩによって識別される前記１つまたは複数の保護された時間領域リソースを判断することと
をさらに備える、Ｃ１１５に記載の方法。
［Ｃ１２１］前記無線状態が、１つまたは複数の非サービングアクセスポイントへの前記ＵＥの近接度に関係する情報を備える、Ｃ１２０に記載の方法。
［Ｃ１２２］前記１つまたは複数の保護された時間領域リソースが、前記１つまたは複数の非サービングアクセスポイントのために区分された時間領域リソースを備える、Ｃ１２１に記載の方法。
［Ｃ１２３］前記１つまたは複数の保護された時間領域リソースが、サービングアクセスポイントのために区分された時間領域リソースを備える、Ｃ１２１に記載の方法。
［Ｃ１２４］前記時間領域リソースが、前記異種ネットワーク中のサービングアクセスポイントと１つまたは複数の非サービングアクセスポイントとに共通に区分される、Ｃ１０５に記載の方法。
［Ｃ１２５］前記送信することが、
前記異種ネットワーク中の第１のアクセスポイントに関連する第１の保護された時間領域リソースを示す第１の情報要素（ＩＥ）を送信することと、
前記第１のアクセスポイントとは異なる１つまたは複数の第２のアクセスポイントに関連する第２の保護された時間領域リソースを示す第２のＩＥを送信することと
を備える、Ｃ１０５に記載の方法。
［Ｃ１２６］前記第１のアクセスポイントが、前記時間領域ＲＰＩの前記指示を送信した、Ｃ１２５に記載の方法。
［Ｃ１２７］前記１つまたは複数の保護された時間領域リソースが、測定されているアクセスポイントの物理セル識別情報（ＰＣＩ）に依存する、Ｃ１０５に記載の方法。
［Ｃ１２８］前記１つまたは複数の保護された時間領域リソースが、ＰＣＩの範囲またはＰＣＩのセットのために構成された、Ｃ１２７に記載の方法。
［Ｃ１２９］ＰＣＩの前記範囲またはＰＣＩの前記セットがアクセスポイントの電力クラスに対応する、Ｃ１２８に記載の方法。
［Ｃ１３０］ＰＣＩの前記範囲またはＰＣＩの前記セットがアクセスポイントのアクセス許可に対応する、Ｃ１２８に記載の方法。
［Ｃ１３１］異種ネットワーク中の時間領域リソース区分に関与するように構成された少なくとも１つのプロセッサと、
１つまたは複数の保護された時間領域リソースを識別する時間領域リソース区分情報（ＲＰＩ）の指示を送信するように構成された送信機であって、前記１つまたは複数の保護された時間領域リソースは、干渉アクセスポイントによる使用が制限される時間領域リソースである、送信機と
を備える、ワイヤレス通信のための装置。
［Ｃ１３２］前記１つまたは複数の保護された時間領域リソースが、前記干渉アクセスポイントに関連するオールモストブランクサブフレーム（ＡＢＳ）を備える、Ｃ１３１に記載の装置。
［Ｃ１３３］前記時間領域ＲＰＩが、前記１つまたは複数の保護された時間領域リソースを示す値に設定される１つまたは複数のビットをもつビットマップを備える、Ｃ１３１に記載の装置。
［Ｃ１３４］前記送信機が、前記時間領域ＲＰＩの前記指示をブロードキャストするように構成された、Ｃ１３１に記載の装置。
［Ｃ１３５］前記装置が、前記１つまたは複数の保護された時間領域リソースに関連するアクセスポイントである、Ｃ１３４に記載の装置。
［Ｃ１３６］前記装置が第１のアクセスポイントであり、前記１つまたは複数の保護された時間領域リソースが、前記第１のアクセスポイントとは異なる第２のアクセスポイントに関連付けられる、Ｃ１３４に記載の装置。
［Ｃ１３７］前記時間領域ＲＰＩがシステム情報ブロック（ＳＩＢ）中でブロードキャストされる、Ｃ１３４に記載の装置。
［Ｃ１３８］前記時間領域ＲＰＩが前記ＳＩＢの１つまたは複数の情報要素（ＩＥ）中でブロードキャストされる、Ｃ１３７に記載の装置。
［Ｃ１３９］前記時間領域ＲＰＩがマスタ情報ブロック（ＭＩＢ）中でブロードキャストされる、Ｃ１３４に記載の装置。
［Ｃ１４０］前記時間領域ＲＰＩの前記指示が、専用メッセージまたはユニキャストメッセージのうちの少なくとも１つを使用して送信される、Ｃ１３１に記載の装置。
［Ｃ１４１］前記時間領域ＲＰＩの前記指示が、接続モードで動作するユーザ機器（ＵＥ）に送信される、Ｃ１４０に記載の装置。
［Ｃ１４２］受信機をさらに備え、前記送信機が基準信号を送信するように構成され、前記受信機が、前記ＵＥから、前記１つまたは複数の保護された時間領域リソース中に判断された前記基準信号の受信電力の指示を受信するように構成された、Ｃ１４１に記載の装置。
［Ｃ１４３］受信機をさらに備え、前記送信機が１つまたは複数の信号を送信するように構成され、前記受信機が、前記ＵＥから、前記１つまたは複数の保護された時間領域リソース中に判断された前記１つまたは複数の信号に基づいてチャネル状態情報（ＣＳＩ）の指示を受信するように構成された、Ｃ１４１に記載の装置。
［Ｃ１４４］前記保護された時間領域リソースが、無線リソース管理（ＲＲＭ）プロシージャまたは無線リンク管理（ＲＬＭ）プロシージャのために前記ＵＥによって使用される、Ｃ１４１に記載の装置。
［Ｃ１４５］ＲＲＭのための前記１つまたは複数の保護された時間領域リソースが、ＲＬＭのための前記保護された時間領域リソースと同じである、Ｃ１４４に記載の装置。
［Ｃ１４６］前記ＵＥから、無線状態を示す報告を受信するように構成された受信機をさらに備え、前記少なくとも１つのプロセッサが、前記報告と前記時間領域リソース区分とに基づいて、前記時間領域ＲＰＩによって識別される前記１つまたは複数の保護された時間領域リソースを判断するように構成された、Ｃ１４１に記載の装置。
［Ｃ１４７］前記無線状態が、１つまたは複数の非サービングアクセスポイントへの前記ＵＥの近接度に関係する情報を備える、Ｃ１４６に記載の装置。
［Ｃ１４８］前記１つまたは複数の保護された時間領域リソースが、前記１つまたは複数の非サービングアクセスポイントのために区分された時間領域リソースを備える、Ｃ１４７に記載の装置。
［Ｃ１４９］前記１つまたは複数の保護された時間領域リソースが、サービングアクセスポイントのために区分された時間領域リソースを備える、Ｃ１４７に記載の装置。
［Ｃ１５０］前記時間領域リソースが、前記異種ネットワーク中のサービングアクセスポイントと１つまたは複数の非サービングアクセスポイントとに共通に区分される、Ｃ１３１に記載の装置。
［Ｃ１５１］前記送信機が、
前記異種ネットワーク中の第１のアクセスポイントに関連する第１の保護された時間領域リソースを示す第１の情報要素（ＩＥ）を送信することと、
前記第１のアクセスポイントとは異なる１つまたは複数の第２のアクセスポイントに関連する第２の保護された時間領域リソースを示す第２のＩＥを送信することと
を行うように構成された、Ｃ１３１に記載の装置。
［Ｃ１５２］前記装置が前記第１のアクセスポイントである、Ｃ１５１に記載の装置。
［Ｃ１５３］前記１つまたは複数の保護された時間領域リソースが、測定されているアクセスポイントの物理セル識別情報（ＰＣＩ）に依存する、Ｃ１３１に記載の装置。
［Ｃ１５４］前記１つまたは複数の保護された時間領域リソースが、ＰＣＩの範囲またはＰＣＩのセットのために構成された、Ｃ１５３に記載の装置。
［Ｃ１５５］ＰＣＩの前記範囲またはＰＣＩの前記セットがアクセスポイントの電力クラスに対応する、Ｃ１５４に記載の装置。
［Ｃ１５６］ＰＣＩの前記範囲またはＰＣＩの前記セットがアクセスポイントのアクセス許可に対応する、Ｃ１５４に記載の装置。
［Ｃ１５７］異種ネットワーク中の時間領域リソース区分に関与するための手段と、
１つまたは複数の保護された時間領域リソースを識別する時間領域リソース区分情報（ＲＰＩ）の指示を送信するための手段であって、前記１つまたは複数の保護された時間領域リソースは、干渉アクセスポイントによる使用が制限される時間領域リソースである、送信するための手段と
を備える、ワイヤレス通信のための装置。
［Ｃ１５８］前記１つまたは複数の保護された時間領域リソースが、前記干渉アクセスポイントに関連するオールモストブランクサブフレーム（ＡＢＳ）を備える、Ｃ１５７に記載の装置。
［Ｃ１５９］前記時間領域ＲＰＩが、前記１つまたは複数の保護された時間領域リソースを示す値に設定される１つまたは複数のビットをもつビットマップを備える、Ｃ１５７に記載の装置。
［Ｃ１６０］送信するための前記手段が、前記時間領域ＲＰＩの前記指示をブロードキャストするように構成された、Ｃ１５７に記載の装置。
［Ｃ１６１］前記装置が、前記１つまたは複数の保護された時間領域リソースに関連するアクセスポイントである、Ｃ１６０に記載の装置。
［Ｃ１６２］前記装置が第１のアクセスポイントであり、前記１つまたは複数の保護された時間領域リソースが、前記第１のアクセスポイントとは異なる第２のアクセスポイントに関連付けられる、Ｃ１６０に記載の装置。
［Ｃ１６３］前記時間領域ＲＰＩがシステム情報ブロック（ＳＩＢ）中でブロードキャストされる、Ｃ１６０に記載の装置。
［Ｃ１６４］前記時間領域ＲＰＩが前記ＳＩＢの１つまたは複数の情報要素（ＩＥ）中でブロードキャストされる、Ｃ１６３に記載の装置。
［Ｃ１６５］前記時間領域ＲＰＩがマスタ情報ブロック（ＭＩＢ）中でブロードキャストされる、Ｃ１６０に記載の装置。
［Ｃ１６６］前記時間領域ＲＰＩの前記指示が、専用メッセージまたはユニキャストメッセージのうちの少なくとも１つを使用して送信される、Ｃ１５７に記載の装置。
［Ｃ１６７］前記時間領域ＲＰＩの前記指示が、接続モードで動作するユーザ機器（ＵＥ）に送信される、Ｃ１６６に記載の装置。
［Ｃ１６８］受信するための手段をさらに備え、送信するための前記手段が基準信号を送信するように構成され、受信するための前記手段が、前記ＵＥから、前記１つまたは複数の保護された時間領域リソース中に判断された前記基準信号の受信電力の指示を受信するように構成された、Ｃ１６７に記載の装置。
［Ｃ１６９］受信するための手段をさらに備え、送信するための前記手段が１つまたは複数の信号を送信するように構成され、受信するための前記手段が、前記ＵＥから、前記１つまたは複数の保護された時間領域リソース中に判断された前記１つまたは複数の信号に基づいてチャネル状態情報（ＣＳＩ）の指示を受信するように構成された、Ｃ１６７に記載の装置。
［Ｃ１７０］前記保護された時間領域リソースが、無線リソース管理（ＲＲＭ）プロシージャまたは無線リンク管理（ＲＬＭ）プロシージャのために前記ＵＥによって使用される、Ｃ１６７に記載の装置。
［Ｃ１７１］ＲＲＭのための前記１つまたは複数の保護された時間領域リソースが、ＲＬＭのための前記保護された時間領域リソースと同じである、Ｃ１７０に記載の装置。
［Ｃ１７２］前記ＵＥから、無線状態を示す報告を受信するための手段と、
前記報告と前記時間領域リソース区分とに基づいて、前記時間領域ＲＰＩによって識別される前記１つまたは複数の保護された時間領域リソースを判断するための手段と
をさらに備える、Ｃ１６７に記載の装置。
［Ｃ１７３］前記無線状態が、１つまたは複数の非サービングアクセスポイントへの前記ＵＥの近接度に関係する情報を備える、Ｃ１７２に記載の装置。
［Ｃ１７４］前記１つまたは複数の保護された時間領域リソースが、前記１つまたは複数の非サービングアクセスポイントのために区分された時間領域リソースを備える、Ｃ１７３に記載の装置。
［Ｃ１７５］前記１つまたは複数の保護された時間領域リソースが、サービングアクセスポイントのために区分された時間領域リソースを備える、Ｃ１７３に記載の装置。
［Ｃ１７６］前記時間領域リソースが、前記異種ネットワーク中のサービングアクセスポイントと１つまたは複数の非サービングアクセスポイントとに共通に区分される、Ｃ１５７に記載の装置。
［Ｃ１７７］送信するための前記手段が、
前記異種ネットワーク中の第１のアクセスポイントに関連する第１の保護された時間領域リソースを示す第１の情報要素（ＩＥ）を送信することと、
前記第１のアクセスポイントとは異なる１つまたは複数の第２のアクセスポイントに関連する第２の保護された時間領域リソースを示す第２のＩＥを送信することと
を行うように構成された、Ｃ１５７に記載の装置。
［Ｃ１７８］前記装置が前記第１のアクセスポイントである、Ｃ１７７に記載の装置。
［Ｃ１７９］前記１つまたは複数の保護された時間領域リソースが、測定されているアクセスポイントの物理セル識別情報（ＰＣＩ）に依存する、Ｃ１５７に記載の装置。
［Ｃ１８０］前記１つまたは複数の保護された時間領域リソースが、ＰＣＩの範囲またはＰＣＩのセットのために構成された、Ｃ１７９に記載の装置。
［Ｃ１８１］ＰＣＩの前記範囲またはＰＣＩの前記セットがアクセスポイントの電力クラスに対応する、Ｃ１８０に記載の装置。
［Ｃ１８２］ＰＣＩの前記範囲またはＰＣＩの前記セットがアクセスポイントのアクセス許可に対応する、Ｃ１８０に記載の装置。
［Ｃ１８３］ワイヤレス通信のためのコンピュータプログラム製品であって、
異種ネットワーク中の時間領域リソース区分に関与することと、
１つまたは複数の保護された時間領域リソースを識別する時間領域リソース区分情報（ＲＰＩ）の指示を送信することであって、前記１つまたは複数の保護された時間領域リソースは、干渉アクセスポイントによる使用が制限される時間領域リソースである、送信することと
を行うためのコードを有するコンピュータ可読媒体を備える、コンピュータプログラム製品。
［Ｃ１８４］前記１つまたは複数の保護された時間領域リソースが、前記干渉アクセスポイントに関連するオールモストブランクサブフレーム（ＡＢＳ）を備える、Ｃ１８３に記載のコンピュータプログラム製品。
［Ｃ１８５］前記時間領域ＲＰＩが、前記１つまたは複数の保護された時間領域リソースを示す値に設定される１つまたは複数のビットをもつビットマップを備える、Ｃ１８３に記載のコンピュータプログラム製品。
［Ｃ１８６］前記送信することが、前記時間領域ＲＰＩの前記指示をブロードキャストすることを備える、Ｃ１８３に記載のコンピュータプログラム製品。
［Ｃ１８７］前記時間領域ＲＰＩの前記指示が、前記１つまたは複数の保護された時間領域リソースに関連するアクセスポイントからブロードキャストされる、Ｃ１８６に記載のコンピュータプログラム製品。
［Ｃ１８８］前記時間領域ＲＰＩの前記指示が、第１のアクセスポイントからブロードキャストされ、前記１つまたは複数の保護された時間領域リソースが、前記第１のアクセスポイントとは異なる第２のアクセスポイントに関連付けられる、Ｃ１８６に記載のコンピュータプログラム製品。
［Ｃ１８９］前記時間領域ＲＰＩがシステム情報ブロック（ＳＩＢ）中でブロードキャストされる、Ｃ１８６に記載のコンピュータプログラム製品。
［Ｃ１９０］前記時間領域ＲＰＩが前記ＳＩＢの１つまたは複数の情報要素（ＩＥ）中でブロードキャストされる、Ｃ１８９に記載のコンピュータプログラム製品。
［Ｃ１９１］前記時間領域ＲＰＩがマスタ情報ブロック（ＭＩＢ）中でブロードキャストされる、Ｃ１８６に記載のコンピュータプログラム製品。
［Ｃ１９２］前記時間領域ＲＰＩの前記指示が、専用メッセージまたはユニキャストメッセージのうちの少なくとも１つを使用して送信される、Ｃ１８３に記載のコンピュータプログラム製品。
［Ｃ１９３］前記時間領域ＲＰＩの前記指示が、接続モードで動作するユーザ機器（ＵＥ）に送信される、Ｃ１９２に記載のコンピュータプログラム製品。
［Ｃ１９４］基準信号を送信することと、
前記ＵＥから、前記１つまたは複数の保護された時間領域リソース中に判断された前記基準信号の受信電力の指示を受信することと
を行うためのコードをさらに備える、Ｃ１９３に記載のコンピュータプログラム製品。
［Ｃ１９５］１つまたは複数の信号を送信することと、
前記ＵＥから、前記１つまたは複数の保護された時間領域リソース中に判断された前記１つまたは複数の信号に基づいてチャネル状態情報（ＣＳＩ）の指示を受信することと
を行うためのコードをさらに備える、Ｃ１９３に記載のコンピュータプログラム製品。
［Ｃ１９６］前記保護された時間領域リソースが、無線リソース管理（ＲＲＭ）プロシージャまたは無線リンク管理（ＲＬＭ）プロシージャのために前記ＵＥによって使用される、Ｃ１９３に記載のコンピュータプログラム製品。
［Ｃ１９７］ＲＲＭのための前記１つまたは複数の保護された時間領域リソースが、ＲＬＭのための前記保護された時間領域リソースと同じである、Ｃ１９６に記載のコンピュータプログラム製品。
［Ｃ１９８］前記ＵＥから、無線状態を示す報告を受信することと、
前記報告と前記時間領域リソース区分とに基づいて、前記時間領域ＲＰＩによって識別される前記１つまたは複数の保護された時間領域リソースを判断することと
を行うためのコードをさらに備える、Ｃ１９３に記載のコンピュータプログラム製品。
［Ｃ１９９］前記無線状態が、１つまたは複数の非サービングアクセスポイントへの前記ＵＥの近接度に関係する情報を備える、Ｃ１９８に記載のコンピュータプログラム製品。
［Ｃ２００］前記１つまたは複数の保護された時間領域リソースが、前記１つまたは複数の非サービングアクセスポイントのために区分された時間領域リソースを備える、Ｃ１９９に記載のコンピュータプログラム製品。
［Ｃ２０１］前記１つまたは複数の保護された時間領域リソースが、サービングアクセスポイントのために区分された時間領域リソースを備える、Ｃ１９９に記載のコンピュータプログラム製品。
［Ｃ２０２］前記時間領域リソースが、前記異種ネットワーク中のサービングアクセスポイントと１つまたは複数の非サービングアクセスポイントとに共通に区分される、Ｃ１８３に記載のコンピュータプログラム製品。
［Ｃ２０３］前記送信することが、
前記異種ネットワーク中の第１のアクセスポイントに関連する第１の保護された時間領域リソースを示す第１の情報要素（ＩＥ）を送信することと、
前記第１のアクセスポイントとは異なる１つまたは複数の第２のアクセスポイントに関連する第２の保護された時間領域リソースを示す第２のＩＥを送信することと
を備える、Ｃ１８３に記載のコンピュータプログラム製品。
［Ｃ２０４］前記時間領域ＲＰＩの前記指示が、前記第１のアクセスポイントから送信される、Ｃ２０３に記載のコンピュータプログラム製品。
［Ｃ２０５］前記１つまたは複数の保護された時間領域リソースが、測定されているアクセスポイントの物理セル識別情報（ＰＣＩ）に依存する、Ｃ１８３に記載のコンピュータプログラム製品。
［Ｃ２０６］前記１つまたは複数の保護された時間領域リソースが、ＰＣＩの範囲またはＰＣＩのセットのために構成された、Ｃ２０５に記載のコンピュータプログラム製品。
［Ｃ２０７］ＰＣＩの前記範囲またはＰＣＩの前記セットがアクセスポイントの電力クラスに対応する、Ｃ２０６に記載のコンピュータプログラム製品。
［Ｃ２０８］ＰＣＩの前記範囲またはＰＣＩの前記セットがアクセスポイントのアクセス許可に対応する、Ｃ２０６に記載のコンピュータプログラム製品。
【図１】
0005868946.tif 000004
【図２】
0005868946.tif 000005
【図２Ａ】
0005868946.tif 000006
【図３】
0005868946.tif 000007
【図４】
0005868946.tif 000008
【図５】
0005868946.tif 000009
【図６】
0005868946.tif 000010
【図７】
0005868946.tif 000011
【図８Ａ】
0005868946.tif 000012
【図８Ｂ】
0005868946.tif 000013
【図８Ｃ】
0005868946.tif 000014
【図９】
0005868946.tif 000015
【図１０】
0005868946.tif 000016
【図１１】
0005868946.tif 000017
【図１２】
0005868946.tif 000018
【図１３】
0005868946.tif 000019
【図１４】
0005868946.tif 000020